(57)【特許請求の範囲】
【請求項１】
（Ａ）画像生成装置、及び、
（Ｂ）画像生成装置からの光が入射され、導光され、観察者の瞳に向かって出射される導光手段、
を備え、
導光手段は、
（Ｂ−１）入射された光が内部を全反射により伝播した後、出射される導光板、
（Ｂ−２）導光板に入射された光が導光板の内部で全反射されるように、導光板に入射された光を偏向させる、導光板に配設された第１偏向手段、及び、
（Ｂ−３）導光板の内部を全反射により伝播した光を導光板から出射させるために、導光板の内部を全反射により伝播した光を複数回に亙り偏向させる、導光板に配設された第２偏向手段、
を備えており、更に、
（Ｃ）導光板へ入射される光の入射方向をＸ方向、導光板内における光の伝播方向をＹ方向としたとき、画像生成装置から入射された光ビームをＺ方向に沿って伸長し、導光手段へ出射する光ビーム伸長装置、
を備えた画像表示装置であって、
光ビーム伸長装置は、画像生成装置からの光が入射される第１反射鏡、及び、第１反射鏡からの光が入射され、導光手段へ光を出射する第２反射鏡から成り、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡への光の入射角をη1（度）、第１Ａ斜面の傾斜角をζ1（度）とし、第１Ａ斜面の頂辺を基準として、第１Ａ斜面側へ向かう光の入射角の方向を正の方向としたとき、
２ζ1−η1＝９０±１０
を満足し、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡への光の入射角をη2（度）、第２Ａ斜面の傾斜角をζ2（度）とし、第２Ａ斜面の頂辺を基準として、第２Ａ斜面側へ向かう光の入射角の方向を正の方向としたとき、
２ζ2−η2＝９０±１０
を満足する画像表示装置。
【請求項２】
画像生成装置と第１反射鏡との間には、少なくとも１枚の平面反射部材が備えられており、
第１反射鏡と第２反射鏡との間には、少なくとも１枚の平面反射部材が備えられており、
画像生成装置と第１反射鏡との間に備えられた１枚の平面反射部材は、第１反射鏡と第２反射鏡との間に備えられた１枚の平面反射部材を兼ねている請求項１に記載の画像表示装置。
【請求項３】
（Ａ）画像生成装置、及び、
（Ｂ）画像生成装置からの光が入射され、導光され、観察者の瞳に向かって出射される導光手段、
を備え、
導光手段は、
（Ｂ−１）入射された光が内部を全反射により伝播した後、出射される導光板、
（Ｂ−２）導光板に入射された光が導光板の内部で全反射されるように、導光板に入射された光を偏向させる、導光板に配設された第１偏向手段、及び、
（Ｂ−３）導光板の内部を全反射により伝播した光を導光板から出射させるために、導光板の内部を全反射により伝播した光を複数回に亙り偏向させる、導光板に配設された第２偏向手段、
を備えており、更に、
（Ｃ）導光板へ入射される光の入射方向をＸ方向、導光板内における光の伝播方向をＹ方向とした、
を備えた画像表示装置であって、
光ビーム伸長装置は、画像生成装置からの光が入射される第１反射鏡、及び、第１反射鏡からの光が入射され、導光手段へ光を出射する第２反射鏡から成り、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡の中央における第１Ａ斜面の頂点と第１Ａ斜面の頂点との間のピッチの値と、第１反射鏡の端部における第１Ａ斜面の頂点と第１Ａ斜面の頂点との間のピッチの値とは異なり、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡の中央における第２Ａ斜面の頂点と第２Ａ斜面の頂点との間のピッチの値と、第２反射鏡の端部における第２Ａ斜面の頂点と第２Ａ斜面の頂点との間のピッチの値とは異なる画像表示装置。
【請求項４】
Ｚ方向と直交する仮想平面である第１Ａ仮想平面に射影したとき、画像生成装置から第１反射鏡に入射する光の軌跡と、第１反射鏡から出射される光の軌跡とは平行であり、
第１反射鏡の法線と直交する仮想平面である第１Ｂ仮想平面に射影したとき、画像生成装置から第１反射鏡に入射する光の軌跡と、第１反射鏡から出射される光の軌跡とは、第１Ａ仮想平面に対して対称であり、
Ｙ方向と直交する仮想平面である第２Ａ仮想平面に射影したとき、第１反射鏡から第２反射鏡に入射する光の軌跡と、第２反射鏡から出射される光の軌跡とは平行であり、
第２反射鏡の法線と直交する仮想平面である第２Ｂ仮想平面に射影したとき、第１反射鏡から第２反射鏡に入射する光の軌跡と、第２反射鏡から出射される光の軌跡とは、第２Ａ仮想平面に対して対称である請求項１乃至請求項３のいずれか１項に記載の画像表示装置。
【請求項５】
画像生成装置の中心から出射され、第１反射鏡に入射する光の光路長と、画像生成装置の中心から出射された光であって、第１反射鏡から出射され、第２反射鏡に入射し、出射され、導光手段に入射する光の光路長とは、等しい請求項４に記載の画像表示装置。
【請求項６】
画像生成装置から出射される光ビームのＹ方向に沿った大きさは、導光手段に入射する光ビームのＹ方向に沿った大きさと等しい請求項５に記載の画像表示装置。
【請求項７】
導光手段に入射する光ビームのＺ方向に沿った大きさは、画像生成装置から出射される光ビームのＺ方向に沿った大きさよりも大きい請求項４乃至請求項６のいずれか１項に記載の画像表示装置。
【請求項８】
導光手段から出射される光ビームのＺ方向に沿った大きさは、画像生成装置から出射される光ビームのＺ方向に沿った大きさと等しい請求項７に記載の画像表示装置。
【請求項９】
画像生成装置は、
（Ａ−１）２次元マトリクス状に配列された複数の画素を有する画像形成装置、及び、
（Ａ−２）画像形成装置の各画素から出射された光を平行光とするコリメート光学系、
を備えており、
コリメート光学系からの光が第１反射鏡に入射される請求項１乃至請求項８のいずれか１項に記載の画像表示装置。
【請求項１０】
画像生成装置は、
（Ａ−１）光源、
（Ａ−２）光源から出射された光を平行光とするコリメート光学系、
（Ａ−３）コリメート光学系から出射された平行光を走査する走査手段、及び、
（Ａ−４）走査手段によって走査された平行光をリレーするリレー光学系、
を備えており、
リレー光学系からの光が第１反射鏡に入射される請求項１乃至請求項８のいずれか１項に記載の画像表示装置。
【請求項１１】
光源から入射された光が内部を全反射により伝播した後、出射される導光板、
導光板に入射された光が導光板の内部で全反射されるように、導光板に入射された光を偏向させる、導光板に配設された第１偏向手段、及び、
導光板の内部を全反射により伝播した光を導光板から出射させるために、導光板の内部を全反射により伝播した光を複数回に亙り偏向させる、導光板に配設された第２偏向手段、
を備えた導光手段、並びに、
導光板へ入射される光の入射方向をＸ方向、導光板内における光の伝播方向をＹ方向としたとき、光源から入射された光ビームをＺ方向に沿って伸長し、導光手段へ出射する光ビーム伸長装置、
を備えた光学装置であって、
光ビーム伸長装置は、光源からの光が入射される第１反射鏡、及び、第１反射鏡からの光が入射され、導光手段へ光を出射する第２反射鏡から成り、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡への光の入射角をη1（度）、第１Ａ斜面の傾斜角をζ1（度）とし、第１Ａ斜面の頂辺を基準として、第１Ａ斜面側へ向かう光の入射角の方向を正の方向としたとき、
２ζ1−η1＝９０±１０
を満足し、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡への光の入射角をη2（度）、第２Ａ斜面の傾斜角をζ2（度）とし、第２Ａ斜面の頂辺を基準として、第２Ａ斜面側へ向かう光の入射角の方向を正の方向としたとき、
２ζ2−η2＝９０±１０
を満足する光学装置。
【請求項１２】
光源と第１反射鏡との間には、少なくとも１枚の平面反射部材が備えられており、
第１反射鏡と第２反射鏡との間には、少なくとも１枚の平面反射部材が備えられており、
光源と第１反射鏡との間に備えられた１枚の平面反射部材は、第１反射鏡と第２反射鏡との間に備えられた１枚の平面反射部材を兼ねている請求項１１に記載の光学装置。
【請求項１３】
光源から入射された光が内部を全反射により伝播した後、出射される導光板、
導光板に入射された光が導光板の内部で全反射されるように、導光板に入射された光を偏向させる、導光板に配設された第１偏向手段、及び、
導光板の内部を全反射により伝播した光を導光板から出射させるために、導光板の内部を全反射により伝播した光を複数回に亙り偏向させる、導光板に配設された第２偏向手段、
を備えた導光手段、並びに、
導光板へ入射される光の入射方向をＸ方向、導光板内における光の伝播方向をＹ方向としたとき、光源から入射された光ビームをＺ方向に沿って伸長し、導光手段へ出射する光ビーム伸長装置、
を備えた光学装置であって、
光ビーム伸長装置は、光源からの光が入射される第１反射鏡、及び、第１反射鏡からの光が入射され、導光手段へ光を出射する第２反射鏡から成り、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡の中央における第１Ａ斜面の頂点と第１Ａ斜面の頂点との間のピッチの値と、第１反射鏡の端部における第１Ａ斜面の頂点と第１Ａ斜面の頂点との間のピッチの値とは異なり、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡の中央における第２Ａ斜面の頂点と第２Ａ斜面の頂点との間のピッチの値と、第２反射鏡の端部における第２Ａ斜面の頂点と第２Ａ斜面の頂点との間のピッチの値とは異なる光学装置。
【請求項１４】
光源と照射面との間に配置され、光源からの光が入射される第１反射鏡、及び、第１反射鏡からの光が入射され、照射面へ光を出射する第２反射鏡から成る光ビーム伸長装置であって、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡への光の入射角をη1（度）、第１Ａ斜面の傾斜角をζ1（度）とし、第１Ａ斜面の頂辺を基準として、第１Ａ斜面側へ向かう光の入射角の方向を正の方向としたとき、
２ζ1−η1＝９０±１０
を満足し、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡への光の入射角をη2（度）、第２Ａ斜面の傾斜角をζ2（度）とし、第２Ａ斜面の頂辺を基準として、第２Ａ斜面側へ向かう光の入射角の方向を正の方向としたとき、
２ζ2−η2＝９０±１０
を満足する光ビーム伸長装置。
【請求項１５】
光源と照射面との間に配置され、光源からの光が入射される第１反射鏡、及び、第１反射鏡からの光が入射され、照射面へ光を出射する第２反射鏡から成る光ビーム伸長装置であって、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡の中央における第１Ａ斜面の頂点と第１Ａ斜面の頂点との間のピッチの値と、第１反射鏡の端部における第１Ａ斜面の頂点と第１Ａ斜面の頂点との間のピッチの値とは異なり、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡の中央における第２Ａ斜面の頂点と第２Ａ斜面の頂点との間のピッチの値と、第２反射鏡の端部における第２Ａ斜面の頂点と第２Ａ斜面の頂点との間のピッチの値とは異なる光ビーム伸長装置。
【発明の詳細な説明】
【技術分野】
【０００１】
本開示は、光反射部材、係る光反射部材を組み込んだ光ビーム伸長装置、係る光ビーム伸長装置を組み込んだ光学装置、及び、係る光学装置を組み込んだ画像表示装置に関する。
【背景技術】
【０００２】
画像形成装置によって形成された２次元画像を虚像光学系により拡大虚像として観察者に観察させるための虚像表示装置（画像表示装置）が、例えば、特表２００５−５２１０９９や特開２００６−１６２７６７から周知である。
【０００３】
概念図を図４０に示すように、この画像表示装置１０００は、２次元マトリクス状に配列された複数の画素を備えた画像形成装置１０１１、画像形成装置１０１１の画素から出射された光を平行光とするコリメート光学系１０１２、及び、コリメート光学系１０１２にて平行光とされた光が入射され、導光され、出射される導光手段１０３０を備えている。導光手段１０３０は、入射された光が内部を全反射により伝播した後、出射される導光板１０３１、導光板１０３１に入射された光が導光板１０３１の内部で全反射されるように、導光板１０３１に入射された光を反射させる第１偏向手段１０４０（例えば、１層の光反射膜から成る）、及び、導光板１０３１の内部を全反射により伝播した光を導光板１０３１から出射させる第２偏向手段１０５０（例えば、多層積層構造を有する光反射多層膜から成る）から構成されている。そして、このような画像表示装置１０００によって、例えば、ＨＭＤ（Head Mounted Display）を構成すれば、装置の軽量化、小型化を図ることができる。
【０００４】
あるいは又、画像形成装置によって形成された２次元画像を虚像光学系により拡大虚像として観察者に観察させるために、ホログラム回折格子を用いた虚像表示装置（画像表示装置）が、例えば、特開２００７−０９４１７５や特開２００７−０１２５３０から周知である。
【０００５】
概念図を図４１及び図４２に示すように、この画像表示装置１１００は、基本的には、画像を表示する画像形成装置１１１１と、コリメート光学系１１１２と、画像形成装置１１１１に表示された光が入射され、観察者の瞳４１へと導く虚像光学系（導光手段１１３０）とを備えている。ここで、導光手段１１３０は、導光板１１３１と、導光板１１３１に設けられた反射型体積ホログラム回折格子から成る第１回折格子部材１１４０及び第２回折格子部材１１５０を備えている。そして、コリメート光学系１１１２には画像形成装置１１１１の各画素から出射された光が入射され、コリメート光学系１１１２によって平行光が生成され、導光板１１３１に入射される。導光板１１３１の第１面１１３２から、平行光が入射され、出射される。一方、導光板１１３１の第１面１１３２と平行である導光板１１３１の第２面１１３３に、第１回折格子部材１１４０及び第２回折格子部材１１５０が取り付けられている。
【先行技術文献】
【特許文献】
【０００６】
【特許文献１】特表２００５−５２１０９９
【特許文献２】特開２００６−１６２７６７
【特許文献３】特開２００７−０９４１７５
【特許文献４】特開２００７−０１２５３０
【発明の概要】
【発明が解決しようとする課題】
【０００７】
画像形成装置１１１１から出射された画像表示光は、図４１に示すＸＹ平面においては、コリメート光学系１１１２にて画角（即ち、画像形成装置１１１１の各画素から出射される光の出射角）が互いに異なる平行光束群とされる。この平行光束群は、これとは直交するＸＺ平面においては画角が互いに異なる光束群とされて、導光板１１３１に入射する。尚、図４１において、ＸＹ平面における代表的な平行光束を、平行光束ｒ1（実線で表す），ｒ2（一点鎖線で表す），ｒ3（点線で表す）にて示し、図４２において、ＸＺ平面における代表的な平行光束を、平行光束Ｒ1（実線で表す），Ｒ2（一点鎖線で表す），Ｒ3（点線で表す）にて示す。
【０００８】
図示した画像表示装置１１００では、左右（水平）方向をＹ方向、上下（縦）方向をＺ方向としている。即ち、観察者の瞳４１に対して横方向から、映像や各種情報等を表示する画像表示光が導光されて、瞳４１に入射される。尚、頭部装着型ディスプレイ（ＨＭＤ）に適用する場合、画像形成装置等を瞳４１に対して上方に配置せず、このように横方向に配置することで、良好なる外界の観察が可能となる。
【０００９】
一方、このような構成にあっては、導光板１１３１の内部を導光される光の伝播距離が比較的長くなるため、以下に述べる問題が生じる。
【００１０】
ここで、上述した構成において、導光板１１３１の第１面１１３２から入射された画像表示光は、第１面１１３２に対向する位置に第２面１１３３に配置された反射型体積ホログラム回折格子から成る第１回折格子部材１１４０に入射する。尚、この反射型体積ホログラム回折格子は、位置に拘わらず、均等なホログラム表面の干渉縞ピッチを有する構成とする。
【００１１】
第１回折格子部材１１４０により回折反射された光にあっては、導光板１１３１内部において、ＸＹ平面のＸ方向成分に関して、各光束ｒ1，ｒ2，ｒ3は、平行光束のまま、第１面１１３２と第２面１１３３との間で全反射を繰り返しながら導光され、導光板１１３１の他端に設けられた反射型体積ホログラム回折格子から成る第２回折格子部材１１５０に向けてＹ方向に進行する。ここで、導光板１１３１が薄く、また上述したように、導光板１１３１を進行する光路が比較的長いため、図４１に示すように、水平画角によって、第２回折格子部材１１５０に至るまでの全反射回数が異なる。そのため、導光板１１３１に入射する平行光ｒ1，ｒ2，ｒ3の内、第２回折格子部材１１５０の方に傾きながら入射する（即ち、水平画角が正である）平行光ｒ3の反射回数は、それと逆方向の角度で導光板１１３１に入射する（即ち、水平画角が負である）平行光ｒ1の反射回数よりも少なくなっている。即ち、第１回折格子部材１１４０のホログラム表面の干渉縞ピッチが等間隔のため、第１回折格子部材１１４０において回折反射される出射角は、水平画角が正である平行光ｒ3の方が、水平画角が負である平行光ｒ1よりも大きくなる。そして、第２回折格子部材１１５０に入射した各画角の平行光は、回折反射により全反射条件から外れ、導光板１１３１から出射し、観察者の瞳４１に入射する。
【００１２】
このように、平行光束の進行方向においては、水平画角によって導光板１１３１内を反射する回数が異なる。即ち、光路長が異なる。しかしながら、伝播する光束は全て平行光束であるため、いわば、折り畳まれるように光束群が進行する。これらの光束群のうち、特開２００７−１２５３０の図１４に示された構成において、逆光線追跡を行うと明らかなように、第１回折格子部材１１４０の縁部と第２面１１３３とに跨る位置で折り返して反射する光束が存在する。逆光線追跡を行うと、この光束の一部（即ち、第２面１１３３で反射される部分）は、反射を繰り返して第１回折格子部材１１４０の異なる位置で回折され、コリメート光学系１１１２に到達する。一方、残りの光束は、第１回折格子部材１１４０の端部で回折され、そのままコリメート光学系１１１２に到達する。つまり、この光束は、同一の画素から出射される同一画角の平行光束であるが、第１回折格子部材１１４０の異なる部分で回折反射して導光板１１３１内で合波されて伝播する光束が存在することになる。
【００１３】
以上から、このような光学系における必要な光束のＹ方向についての幅、即ち、Ｙ方向の開口絞り幅は、光束の折り畳まれる端点で決定される。導光板１１３１にあっては、コリメート光学系１１１２を出射して導光板１１３１に入射した平行光束群を回折反射する第１回折格子部材１１４０の位置がＹ方向の開口絞り位置となる。
【００１４】
一方、ＸＺ平面において水平画角の異なる入射光Ｒ1，Ｒ2，Ｒ3は導光板１１３１内においてＸ方向成分は反射を繰り返すが、Ｚ方向成分は反射されないで出射部に到達する。即ち、コリメート光学系１１１２から出射された光は、ＸＺ平面においては収束されて第１面１１３２から入射され、導光板１１３１内をＹ方向に進行する。そして、これらの光束は、Ｚ方向に狭まるように導光板１１３１の第１面１１３２及び第２面１１３３にて反射されながら進行し、第２回折格子部材１１５０に到達し、第２回折格子部材１１５０より反射回折されて出射され、観察者の瞳４１に入射する。このように、この画像表示装置１１００にあっては、必要な光束のＺ方向についての幅、即ち、Ｚ方向の開口絞り幅は、観察瞳４１の位置で決定される。
【００１５】
Ｚ方向の開口絞り位置は観察瞳４１の位置であるため、コリメート光学系１１１２からＺ方向の開口絞り位置までの距離は、導光板１１３１内を内部全反射を繰り返して伝播した距離と、導光板１１３１から観察者の瞳４１までの距離の和となるが故に、かなり大きな距離となる。一方、Ｙ方向の開口絞り位置は導光板１１３１に配置された第１回折格子部材１１４０の位置であるため、Ｚ方向の開口絞り位置と比べると小さくすることができる。このように開口絞り位置がＺ方向で大きいため、コリメート光学系１１１２のＺ方向の径はＹ方向の径に比べると大きく設定する必要がある。
【００１６】
また、画像形成装置１０１１，１１１１におけるＺ方向の開口絞りの径を大きく設定すると、画像形成装置１０１１，１１１１から出射される画像において、周辺画角の光線角度が大きくなる結果、画像形成装置１０１１，１１１１にて使用される液晶表示装置等における表示コントラストが低下し、画質が劣化する原因となる。
【００１７】
以上に説明した問題は、図４０に示した画像表示装置１０００においても同様に生じる。
【００１８】
従って、本開示の目的は、画像形成装置によって形成された２次元画像を虚像光学系により拡大虚像として観察者に観察させるための画像表示装置であって、画像形成装置に備えられたレンズの径を大きくする必要が無い画像表示装置、係る画像表示装置に組み込むのに適した光学装置、及び、例えば係る光学装置に組み込むのに適した光ビーム伸長装置を提供することにある。
【課題を解決するための手段】
【００１９】
上記の目的を達成するための本開示の第１の態様あるいは第２の態様に係る画像表示装置は、
（Ａ）画像生成装置、及び、
（Ｂ）画像生成装置からの光が入射され、導光され、観察者の瞳に向かって出射される導光手段、
を備え、
導光手段は、
（Ｂ−１）入射された光が内部を全反射により伝播した後、出射される導光板、
（Ｂ−２）導光板に入射された光が導光板の内部で全反射されるように、導光板に入射された光を偏向させる、導光板に配設された第１偏向手段、及び、
（Ｂ−３）導光板の内部を全反射により伝播した光を導光板から出射させるために、導光板の内部を全反射により伝播した光を複数回に亙り偏向させる、導光板に配設された第２偏向手段、
を備えており、更に、
（Ｃ）導光板へ入射される光の入射方向をＸ方向、導光板内における光の伝播方向をＹ方向としたとき、画像生成装置から入射された光ビームをＺ方向に沿って伸長し、導光手段へ出射する光ビーム伸長装置、
を備えた画像表示装置であり、
光ビーム伸長装置は、画像生成装置からの光が入射される第１反射鏡、及び、第１反射鏡からの光が入射され、導光手段へ光を出射する第２反射鏡から成る。尚、「全反射」という用語は、内部全反射、あるいは、導光板内部における全反射を意味する。以下においても同様である。
【００２０】
上記の目的を達成するための本開示の第３の態様あるいは第４の態様に係る画像表示装置は、
（Ａ）画像生成装置、及び、
（Ｂ）画像生成装置からの光が入射され、導光され、観察者の瞳に向かって出射される導光手段、
を備え、
導光手段は、
（Ｂ−１）入射された光が内部を全反射により伝播した後、出射される導光板、
（Ｂ−２）導光板に入射された光が導光板の内部で全反射されるように、導光板に入射された光を偏向させる、導光板に配設された第１偏向手段、及び、
（Ｂ−３）導光板の内部を全反射により伝播した光を導光板から出射させるために、導光板の内部を全反射により伝播した光を複数回に亙り偏向させる、導光板に配設された第２偏向手段、
を備えており、更に、
（Ｃ）導光板へ入射される光の入射方向をＸ方向、導光板内における光の伝播方向をＹ方向としたとき、画像生成装置から入射された光ビームをＺ方向に沿って伸長し、導光手段へ出射する光ビーム伸長装置、
を備えた画像表示装置であって、
光ビーム伸長装置は、第１反射鏡及び第２反射鏡から成り、
第１反射鏡は、導光手段を挟んで、画像生成装置とは反対側に位置し（即ち、導光手段の光入射側とは反対側に位置し）、
第２反射鏡は、導光手段を基準として、画像生成装置側に位置し（即ち、導光手段の光入射側に位置し）、
画像生成装置から出射された光の一部は、導光板及び第１偏向手段を通過し、第１反射鏡で反射され、導光板及び第１偏向手段を通過し、第２反射鏡で反射され、その一部は、導光板及び第１偏向手段を通過することを、所定の回数繰り返す。
【００２１】
上記の目的を達成するための本開示の第１の態様あるいは第２の態様に係る光学装置は、
光源から入射された光が内部を全反射により伝播した後、出射される導光板、
導光板に入射された光が導光板の内部で全反射されるように、導光板に入射された光を偏向させる、導光板に配設された第１偏向手段、及び、
導光板の内部を全反射により伝播した光を導光板から出射させるために、導光板の内部を全反射により伝播した光を複数回に亙り偏向させる、導光板に配設された第２偏向手段、
を備えた導光手段、並びに、
導光板へ入射される光の入射方向をＸ方向、導光板内における光の伝播方向をＹ方向としたとき、光源から入射された光ビームをＺ方向に沿って伸長し、導光手段へ出射する光ビーム伸長装置、
を備えた光学装置であり、
光ビーム伸長装置は、光源からの光が入射される第１反射鏡、及び、第１反射鏡からの光が入射され、導光手段へ光を出射する第２反射鏡から成る。
【００２２】
上記の目的を達成するための本開示の第１の態様あるいは第２の態様に係る光ビーム伸長装置は、光源と照射面との間に配置され、光源からの光が入射される第１反射鏡、及び、第１反射鏡からの光が入射され、照射面へ光を出射する第２反射鏡から成る光ビーム伸長装置である。
【００２３】
そして、本開示の第１の態様あるいは第３の態様に係る画像表示装置、本開示の第１の態様に係る光学装置、あるいは、本開示の第１の態様に係る光ビーム伸長装置において、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており（本開示の第１の態様に係る画像表示装置、本開示の第１の態様に係る光学装置あるいは本開示の第１の態様に係る光ビーム伸長装置）、あるいは又、Ｙ方向に延びており（本開示の第３の態様に係る画像表示装置）、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡への光の入射角をη1（度）、第１Ａ斜面の傾斜角をζ1（度）とし、第１Ａ斜面の頂辺を基準として、第１Ａ斜面側へ向かう光の入射角の方向を正の方向としたとき、
２ζ1−η1＝９０±１０    （１−１）
を満足し、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡への光の入射角をη2（度）、第２Ａ斜面の傾斜角をζ2（度）とし、第２Ａ斜面の頂辺を基準として、第２Ａ斜面側へ向かう光の入射角の方向を正の方向としたとき、
２ζ2−η2＝９０±１０    （１−２）
を満足する。尚、第１反射鏡への光の入射角η1、第１Ａ斜面の傾斜角ζ1は、第１Ａ斜面の頂辺及び底辺の延びる方向に直交する仮想平面内における角度であり、第２反射鏡への光の入射角η2、第２Ａ斜面の傾斜角ζ2は、第２Ａ斜面の頂辺及び底辺の延びる方向に直交する仮想平面内における角度である。第１Ａ斜面の底部と第１Ｂ斜面の底部の成す角度は９０度であり、且つ、第１Ａ斜面の長さは第１Ｂ斜面の長さよりも短いといった規定から、ζ1＞４５度は自明であるし、式（１−１）から、η1＞０度も自明である。同様に、第２Ａ斜面の底部と第２Ｂ斜面の底部の成す角度は９０度であり、且つ、第２Ａ斜面の長さは第２Ｂ斜面の長さよりも短いといった規定から、ζ2＞４５度は自明であるし、式（１−２）から、η2＞０度も自明である。
【００２４】
また、本開示の第２の態様あるいは第４の態様に係る画像表示装置、本開示の第２の態様に係る光学装置あるいは本開示の第２の態様に係る光ビーム伸長装置において、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており（本開示の第２の態様に係る画像表示装置、本開示の第２の態様に係る光学装置あるいは本開示の第２の態様に係る光ビーム伸長装置）、あるいは又、Ｙ方向に延びており（本開示の第４の態様に係る画像表示装置）、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡の中央における第１Ａ斜面の頂点と第１Ａ斜面の頂点との間のピッチの値と、第１反射鏡の端部における第１Ａ斜面の頂点と第１Ａ斜面の頂点との間のピッチの値とは異なり、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡の中央における第２Ａ斜面の頂点と第２Ａ斜面の頂点との間のピッチの値と、第２反射鏡の端部における第２Ａ斜面の頂点と第２Ａ斜面の頂点との間のピッチの値とは異なる。尚、第１Ａ斜面の頂点と第１Ａ斜面の頂点との間のピッチ、第２Ａ斜面の頂点と第２Ａ斜面の頂点との間のピッチとして、０．１ｍｍ乃至２ｍｍを例示することができる。
【００２５】
上記の目的を達成するための本開示の第１の態様に係る光反射部材は、
第１斜面と第２斜面とが交互に連続して並置され、断面形状が鋸歯形状を有する光反射面を備えた光反射部材であって、
第１斜面の頂辺及び底辺は平行であり、
一対の第１斜面及び第２斜面において、第１斜面の底部と第２斜面の底部の成す角度は９０度であり、且つ、第１斜面の長さは第２斜面の長さよりも短く、
第１斜面の高さは一定であり、
光反射部材への光の入射角をη（度）、第１斜面の傾斜角をζ（度）とし、第１斜面の頂辺を基準として、第１斜面側へ向かう光の入射角の方向を正の方向としたとき、
２ζ−η＝９０±１０      （２）
を満足し、
第１斜面の頂辺及び底辺の延びる方向に直交する仮想平面に射影したとき、第１斜面に入射する光の軌跡と、第２斜面から出射される光の軌跡とは平行である。尚、光反射部材への光の入射角η、第１斜面の傾斜角ζは、第１斜面の頂辺及び底辺の延びる方向に直交する仮想平面内における角度である。第１斜面の底部と第２斜面の底部の成す角度は９０度であり、且つ、第１斜面の長さは第２斜面の長さよりも短いといった規定から、ζ＞４５度は自明であるし、式（２）から、η＞０度も自明である。
【００２６】
上記の目的を達成するための本開示の第２の態様に係る光反射部材は、
第１斜面と第２斜面とが交互に連続して並置され、断面形状が鋸歯形状を有する光反射面を備えた光反射部材であって、
第１斜面の頂辺及び底辺は平行であり、
一対の第１斜面及び第２斜面において、第１斜面の底部と第２斜面の底部の成す角度は９０度であり、且つ、第１斜面の長さは第２斜面の長さよりも短く、
第１斜面の高さは一定であり、
光反射部材の中央における第１斜面の頂点と第１斜面の頂点との間のピッチの値と、光反射部材の端部における第１斜面の頂点と第１斜面の頂点との間のピッチの値とは異なり、
第１斜面の頂辺及び底辺の延びる方向に直交する仮想平面に射影したとき、第１斜面に入射する光の軌跡と、第２斜面から出射される光の軌跡とは平行である。尚、第１斜面の頂点と第１斜面の頂点との間のピッチとして、０．１ｍｍ乃至２ｍｍを例示することができる。
【発明の効果】
【００２７】
本開示の第１の態様〜第４の態様に係る画像表示装置、本開示の第１の態様〜第２の態様に係る光学装置、あるいは、本開示の第１の態様〜第２の態様に係る光ビーム伸長装置にあっては、光ビーム（光束）をＺ方向に沿って伸長し、導光手段へと入射させる光ビーム伸長装置を備えている。それ故、画像生成装置におけるＺ方向の開口絞りの径を大きく設定する必要が無くなり、画像生成装置に備えるべきレンズの径を大きくする必要が無く、画像表示装置の小型化、軽量化を図ることができるし、表示コントラストが低下し、画質が劣化することも無い。また、本開示の第１の態様〜第４の態様に係る画像表示装置、本開示の第１の態様〜第２の態様に係る光学装置、本開示の第１の態様〜第２の態様に係る光ビーム伸長装置、あるいは、本開示の第１の態様〜第２の態様に係る光反射部材にあっては、光反射面の斜面あるいは光反射部材における各種パラメータが規定されているので、光ビーム伸長装置あるいは光反射部材に入射した光を効率良く出射させることができる。
【図面の簡単な説明】
【００２８】
【図１】図１の（Ａ）及び（Ｂ）は、それぞれ、実施例１の光ビーム伸長装置をＹ方向から眺めた概念図、及び、Ｚ方向から眺めた概念図である。
【図２】図２の（Ａ）、（Ｂ）及び（Ｃ）は、本開示の光反射部材における入射光・出射光の挙動を説明するための図である。
【図３】図３の（Ａ）、（Ｂ）及び（Ｃ）は、それぞれ、第１反射鏡の模式的な一部断面図、第１反射鏡の模式的な部分平面図、第１反射鏡の模式的な部分側面図（但し、光の挙動のみを示す）である。
【図４】図４の（Ａ）、（Ｂ）及び（Ｃ）は、それぞれ、第２反射鏡の模式的な一部断面図、第２反射鏡の模式的な部分平面図、第２反射鏡の模式的な部分側面図（但し、光の挙動のみを示す）である。
【図５】図５の（Ａ）及び（Ｂ）は、それぞれ、第１反射鏡及び第２反射鏡の模式的な一部断面図である。
【図６】図６は、実施例１の光ビーム伸長装置を或る方向から眺めたときの模式図である。
【図７】図７は、実施例１の光ビーム伸長装置を別の方向から眺めたときの模式図である。
【図８】図８は、実施例１の光ビーム伸長装置を更に別の方向から眺めたときの模式図である。
【図９】図９は、実施例１の画像表示装置における画像形成装置と、第１反射鏡と、第２反射鏡と、導光板との位置関係を立体的に示す図である。
【図１０】図１０は、実施例１の光ビーム伸長装置内での光の挙動を示す図である。
【図１１】図１１は、実施例１の画像表示装置における画像形成装置あるいは光源と、第１反射鏡との位置関係を模式的に示す図である。
【図１２】図１２は、実施例１の画像表示装置における画像形成装置あるいは光源と、第１反射鏡と、第２反射鏡との位置関係を模式的に示す図である。
【図１３】図１３は、実施例１の画像表示装置における画像形成装置あるいは光源と、第１反射鏡と、第２反射鏡と、導光板との位置関係を模式的に示す図である。
【図１４】図１４は、実施例１の画像表示装置における画像形成装置と、第１反射鏡と、第２反射鏡と、導光板との位置関係を概念的に示す図である。
【図１５】図１５は、実施例１の画像表示装置の変形例における画像生成装置と、第１反射鏡と、第２反射鏡との位置関係を具体的に示す図である。
【図１６】図１６は、実施例１の画像表示装置の変形例における画像生成装置と、第１反射鏡と、第２反射鏡との位置関係を具体的に示す、図１５とは別の角度から眺めた図である。
【図１７】図１７は、実施例１の画像表示装置の変形例における画像生成装置と、第１反射鏡と、第２反射鏡との位置関係を具体的に示す、図１５とは別の角度から眺めた図である。
【図１８】図１８は、実施例１の画像表示装置における画像生成装置と、第１反射鏡と、第２反射鏡との位置関係を具体的に示す図である。
【図１９】図１９は、実施例１の画像表示装置における画像生成装置と、第１反射鏡と、第２反射鏡との位置関係を具体的に示す、図１８とは別の角度から眺めた図である。
【図２０】図２０は、実施例１の画像表示装置における画像生成装置と、第１反射鏡と、第２反射鏡との位置関係を具体的に示す、図１８は別の角度から眺めた図である。
【図２１】図２１は、実施例１の画像表示装置の概念図である。
【図２２】図２２は、実施例２の画像表示装置の概念図である。
【図２３】図２３の（Ａ）は、実施例３の画像表示装置の概念図であり、図２３の（Ｂ）は、反射型体積ホログラム回折格子の一部を拡大して示す模式的な断面図である。
【図２４】図２４は、実施例４の画像表示装置の概念図である。
【図２５】図２５の（Ａ）及び（Ｂ）は、実施例５における光反射部材、第１反射鏡あるいは第２反射鏡の模式的な側面図である。
【図２６】図２６の（Ａ）及び（Ｂ）は、実施例６における画像生成装置と光ビーム伸長装置と導光手段の配置状態をＹ方向から眺めた模式図、及び、Ｚ方向から眺めた模式図である。
【図２７】図２７は、実施例７の頭部装着型ディスプレイを正面から眺めた模式図である。
【図２８】図２８は、実施例７の頭部装着型ディスプレイ（但し、フレームを除去したと想定したときの状態）を正面から眺めた模式図である。
【図２９】図２９は、実施例７の頭部装着型ディスプレイを上方から眺めた模式図である。
【図３０】図３０は、実施例７の頭部装着型ディスプレイを観察者の頭部に装着した状態を上方から眺めた図（但し、画像表示装置のみを示し、フレームの図示は省略）である。
【図３１】図３１は、実施例８の頭部装着型ディスプレイを正面から眺めた模式図である。
【図３２】図３２は、実施例８の頭部装着型ディスプレイ（但し、フレームを除去したと想定したときの状態）を正面から眺めた模式図である。
【図３３】図３３は、実施例８の頭部装着型ディスプレイを上方から眺めた模式図である。
【図３４】図３４は、実施例１あるいは実施例３での使用に適した画像形成装置の変形例の概念図である。
【図３５】図３５は、実施例１あるいは実施例３での使用に適した画像形成装置の別の変形例を示す概念図である。
【図３６】図３６は、実施例１あるいは実施例３での使用に適した画像形成装置の更に別の変形例を示す概念図である。
【図３７】図３７は、実施例１あるいは実施例３での使用に適した画像形成装置の更に別の変形例を示す概念図である。
【図３８】図３８は、実施例１あるいは実施例３での使用に適した画像形成装置の更に別の変形例を示す概念図である。
【図３９】図３９は、実施例７の頭部装着型ディスプレイの変形例を上方から眺めた模式図である。
【図４０】図４０は、従来の画像表示装置の概念図である。
【図４１】図４１は、図４０に示したとは別の形式の従来の画像表示装置の概念図である。
【図４２】図４２は、図４１に示したとは別の方向から図４０に示した形式の従来の画像表示装置を眺めた概念図である。
【発明を実施するための形態】
【００２９】
以下、図面を参照して、実施例に基づき本開示を説明するが、本開示は実施例に限定されるものではなく、実施例における種々の数値や材料は例示である。尚、説明は、以下の順序で行う。
１．本開示の第１の態様〜第４の態様に係る画像表示装置、本開示の第１の態様及び第２の態様に係る光学装置、本開示の第１の態様及び第２の態様に係る光ビーム伸長装置、並びに、本開示の第１の態様及び第２の態様に係る光反射部材、全般に関する説明
２．実施例１（本開示の第１の態様に係る画像表示装置、本開示の第１の態様に係る光ビーム伸長装置、本開示の第１の態様に係る光学装置、並びに、本開示の第１の態様に係る光反射部材）
３．実施例２（実施例１の画像表示装置の変形）
４．実施例３（実施例１の画像表示装置の別の変形）
５．実施例４（実施例１の画像表示装置の更に別の変形）
６．実施例５（本開示の第２の態様に係る画像表示装置、本開示の第２の態様に係る光ビーム伸長装置、本開示の第２の態様に係る光学装置、並びに、本開示の第２の態様に係る光反射部材）
７．実施例６（本開示の第３の態様及び第４の態様に係る画像表示装置）
８．実施例７（頭部装着型ディスプレイ）
９．実施例８（頭部装着型ディスプレイの変形）、その他
【００３０】
［本開示の第１の態様〜第４の態様に係る画像表示装置、本開示の第１の態様及び第２の態様に係る光学装置、本開示の第１の態様及び第２の態様に係る光ビーム伸長装置、並びに、本開示の第１の態様及び第２の態様に係る光反射部材、全般に関する説明］
本開示の第１の態様あるいは第２の態様に係る画像表示装置、本開示の第１の態様あるいは第２の態様に係る光ビーム伸長装置、本開示の第１の態様あるいは第２の態様に係る光学装置において、
画像生成装置と第１反射鏡との間、あるいは、光源と第１反射鏡との間には、少なくとも１枚の平面反射部材が備えられており、
第１反射鏡と第２反射鏡との間には、少なくとも１枚の平面反射部材が備えられており、
画像生成装置と第１反射鏡との間、あるいは、光源と第１反射鏡との間に備えられた１枚の平面反射部材は、第１反射鏡と第２反射鏡との間に備えられた１枚の平面反射部材を兼ねている形態とすることができる。そして、このような形態を採用することで、光路が、一種、折り畳まれ、本開示の第１の態様あるいは第２の態様に係る画像表示装置、本開示の第１の態様あるいは第２の態様に係る光ビーム伸長装置、本開示の第１の態様あるいは第２の態様に係る光学装置のコンパクト化を図ることができる。尚、画像生成装置と第１反射鏡との間、あるいは、光源と第１反射鏡との間に備えられた１枚の平面反射部材と、第１反射鏡と第２反射鏡との間に備えられた１枚の平面反射部材とが、同一平面内に位置する形態も、画像生成装置と第１反射鏡との間、あるいは、光源と第１反射鏡との間に備えられた１枚の平面反射部材は、第１反射鏡と第２反射鏡との間に備えられた１枚の平面反射部材を兼ねている形態に包含される。
【００３１】
上記の好ましい形態を含む本開示の第１の態様あるいは第２の態様に係る画像表示装置、本開示の第１の態様あるいは第２の態様に係る光ビーム伸長装置、本開示の第１の態様あるいは第２の態様に係る光学装置において、
Ｚ方向と直交する仮想平面である第１Ａ仮想平面に射影したとき、画像生成装置（あるいは光源）から第１反射鏡に入射する光の軌跡と、第１反射鏡から出射される光の軌跡とは平行であり、
第１反射鏡の法線と直交する仮想平面である第１Ｂ仮想平面に射影したとき、画像生成装置（あるいは光源）から第１反射鏡に入射する光の軌跡と、第１反射鏡から出射される光の軌跡とは、第１Ａ仮想平面に対して対称であり、
Ｙ方向と直交する仮想平面である第２Ａ仮想平面に射影したとき、第１反射鏡から第２反射鏡に入射する光の軌跡と、第２反射鏡から出射される光の軌跡とは平行であり、
第２反射鏡の法線と直交する仮想平面である第２Ｂ仮想平面に射影したとき、第１反射鏡から第２反射鏡に入射する光の軌跡と、第２反射鏡から出射される光の軌跡とは、第２Ａ仮想平面に対して対称である構成とすることができる。そして、この場合、画像生成装置（あるいは光源）の中心から出射され、第１反射鏡に入射する光の光路長と、画像生成装置（あるいは光源）の中心から出射された光であって、第１反射鏡から出射され、第２反射鏡に入射し、出射され、導光手段（あるいは照射面）に入射する光の光路長とは、等しい構成とすることが好ましい。更には、画像生成装置（あるいは光源）から出射される光ビームのＹ方向に沿った大きさは、導光手段（あるいは照射面）に入射する光ビームのＹ方向に沿った大きさと等しい構成とすることが好ましい。更には、以上に説明した好ましい構成にあっては、導光手段（あるいは照射面）に入射する光ビームのＺ方向に沿った大きさは、画像生成装置（あるいは光源）から出射される光ビームのＺ方向に沿った大きさよりも大きい構成とすることができ、更には、導光手段から出射される光ビームのＺ方向に沿った大きさは、画像生成装置（あるいは光源）から出射される光ビームのＺ方向に沿った大きさと等しい構成とすることができる。本開示の第３の態様あるいは第４の態様に係る画像表示装置においては、光ビーム伸長装置の全体から出射される光のＺ方向に沿ったビーム径は、光ビーム伸長装置に入射する光のＺ方向に沿ったビーム径よりも大きい。
【００３２】
以上に説明した好ましい形態、構成を含む本開示の第１の態様〜第４の態様に係る画像表示装置において、画像生成装置は、
（Ａ−１）２次元マトリクス状に配列された複数の画素を有する画像形成装置、及び、
（Ａ−２）画像形成装置の各画素から出射された光を平行光とするコリメート光学系、
を備えており、
コリメート光学系からの光が第１反射鏡に入射される構成とすることができる。尚、便宜上、このような画像生成装置を、『第１の形態の画像生成装置』と呼ぶ。
【００３３】
あるいは又、以上に説明した好ましい形態、構成を含む本開示の第１の態様〜第４の態様に係る画像表示装置において、画像生成装置は、
（Ａ−１）光源、
（Ａ−２）光源から出射された光を平行光とするコリメート光学系、
（Ａ−３）コリメート光学系から出射された平行光を走査する走査手段、及び、
（Ａ−４）走査手段によって走査された平行光をリレーするリレー光学系、
を備えており、
リレー光学系からの光が第１反射鏡に入射される構成とすることができる。尚、便宜上、このような画像生成装置を、『第２の形態の画像生成装置』と呼ぶ。
【００３４】
更には、以上に説明した好ましい形態、構成を含む本開示の第１の態様〜第４の態様に係る画像表示装置、あるいは、本開示の第１の態様〜第２の態様に係る光学装置において、第１偏向手段及び第２偏向手段は、回折格子素子から成る構成とすることができ、更には、回折格子素子は、反射型回折格子素子から成り、更には、反射型体積ホログラム回折格子から成り、あるいは又、透過型回折格子素子から成り、あるいは又、一方の回折格子素子は反射型回折格子素子から成り、他方の回折格子素子は透過型回折格子素子から成る構成とすることができる。尚、回折格子における干渉縞の並ぶ方向、即ち、回折方向はＹ方向であり、干渉縞はＺ方向に延びている。
【００３５】
あるいは又、以上に説明した好ましい形態、構成を含む本開示の第１の態様〜第４の態様に係る画像表示装置、あるいは、本開示の第１の態様〜第２の態様に係る光学装置において、第１偏向手段は、導光板に入射された光を反射し；第２偏向手段は、導光板の内部を全反射により伝播した光を、複数回に亙り、透過、反射する構成とすることができる。更には、この場合、第１偏向手段は反射鏡として機能し、第２偏向手段は半透過鏡として機能する構成とすることができる。
【００３６】
以上に説明した好ましい形態、構成を含む本開示の第１の態様〜第４の態様に係る画像表示装置、本開示の第１の態様〜第２の態様に係る光ビーム伸長装置、本開示の第１の態様〜第２の態様に係る光学装置、あるいは、本開示の第１の態様〜第２の態様に係る光反射部材（以下、これらを総称して、単に、『本開示』と呼ぶ場合がある）において、Ｘ方向に平行な軸線を、便宜上、『Ｘ軸』と呼び、Ｙ方向に平行な軸線を、便宜上、『Ｙ軸』と呼び、Ｚ方向に平行な軸線を、便宜上、『Ｚ軸』と呼ぶ場合がある。光ビーム伸長装置において、Ｘ方向（Ｘ軸）、Ｙ方向（Ｙ軸）、Ｚ方向（Ｚ軸）は、導光板におけるＸ方向、Ｙ方向、Ｚ方向を基準として決定すればよい。即ち、或る方向から光ビーム伸長装置に光が入射し、光ビーム伸長装置から出射され、導光板に入射したときの光の入射方向が『Ａ方向』であったとした場合、光ビーム伸長装置に光が入射した方向、光ビーム伸長装置の内部における光の方向、光ビーム伸長装置から出射される光の方向は、『Ａ方向』方向であるとする。また、第１反射鏡の法線方向を『Ｘ’軸』と呼び、Ｘ’軸及びＺ軸に直交する軸を『Ｙ’軸』と呼ぶ。更には、第２反射鏡の法線方向を『Ｘ’軸』と呼び、Ｘ’軸及びＹ軸に直交する軸を『Ｚ’軸』と呼ぶ。
【００３７】
本開示において、第１反射鏡の光反射面の断面形状は、第１Ａ仮想平面で第１反射鏡の光反射面を切断したと想定したときの形状であり、第２反射鏡の光反射面の断面形状は、第２Ａ仮想平面で第２反射鏡の光反射面を切断したと想定したときの形状である。第１反射鏡や第２反射鏡リバーサルミラーとも呼ばれる。
【００３８】
第１Ａ仮想平面で第１反射鏡の光反射面を切断したと想定したときの、第１Ａ斜面の底部と第１Ｂ斜面の底部の成す角度θ1は９０度であり、第１Ａ斜面の頂部と第１Ｂ斜面の頂部の成す角度θ1’は９０度又は鋭角又は鈍角である。同様に、第２Ａ仮想平面で第２反射鏡の光反射面を切断したと想定したときの、第２Ａ斜面の底部と第２Ｂ斜面の底部の成す角度θ2は９０度であり、第２Ａ斜面の頂部と第２Ｂ斜面の頂部の成す角度θ2’は９０度又は鋭角又は鈍角である。
【００３９】
第１Ａ斜面（『第１Ａ斜面−Ａ』と呼ぶ）の頂辺と、この第１Ａ斜面−Ａに隣接する第１Ａ斜面（『第１Ａ斜面−Ｂ』と呼ぶ）の頂辺と、第１Ａ斜面−Ａの底辺によって形成される仮想三角形（第１Ａ仮想平面内に含まれる）の形状は、基本的には、隣辺の長さが異なる直角三角形（便宜上、『第１仮想直角三角形』と呼ぶ）である。また、第２Ａ斜面（『第２Ａ斜面−Ａ』と呼ぶ）の頂辺と、この第２Ａ斜面−Ａに隣接する第２Ａ斜面（『第２Ａ斜面−Ｂ』と呼ぶ）の頂辺と、第２Ａ斜面−Ａの底辺によって形成される仮想三角形（第２Ａ仮想平面内に含まれる）の形状は、基本的には、隣辺の長さが異なる直角三角形（便宜上、『第２仮想直角三角形』と呼ぶ）である。
【００４０】
即ち、第１反射鏡の断面形状を眺めたとき、Ｙ’軸に沿って同じ形状の第１仮想直角三角形が並んでいてもよい。あるいは又、Ｙ’軸に沿って異なる形状の第１仮想直角三角形が並んでいてもよい。具体的には、第１反射鏡の中央領域への光の入射角をη10-inとしたとき、光反射面の中央領域は、第１仮想直角三角形（但し、傾斜角ζ10である直角不等辺三角形）が並んでおり、光の入射角がη11-in（＞η10-in）である光反射面の領域（便宜上、『第１の領域』と呼ぶ）には、第１仮想直角三角形（但し、傾斜角ζ11＞ζ10である直角不等辺三角形）が並んでおり、光の入射角がη12-in（＜η10-in）である光反射面の領域（便宜上、『第２の領域』と呼ぶ）には、第１仮想直角三角形（但し、傾斜角ζ12＜ζ10である直角不等辺三角形）が並んでいる構成とすることができる。あるいは又、例えば、光反射面の中央領域（光の入射角をη10-in）には、第１仮想直角三角形（但し、直角二等辺三角形）が並んでおり、光反射面の中央領域の両側の領域（便宜上、『第３の領域』及び『第４の領域』と呼ぶ）には、入射角η11-in（＞η10-in）の光（但し、角度の正負の符号が異なる）が入射し、第３の領域及び第４の領域には、中央領域を基準として対称に、第１仮想直角三角形（但し、直角不等辺三角形）が並んでいる構成とすることができる。尚、１つの第１仮想直角三角形において、長い方の隣辺が光反射面の中央領域側に位置している。傾斜角ζ10，ζ11，ζ12の値は、第１仮想直角三角形毎に異なっていてもよいし、所望の数の第１仮想直角三角形にあっては同じ値とする構成（即ち、光反射面を複数の領域に分割し、各領域に含まれる第１仮想直角三角形における傾斜角ζの値を同じとし、異なる領域に含まれる第１仮想直角三角形における傾斜角ζの値は異なる構成）とすることもできる。後者の場合、光反射面における複数の領域のそれぞれの中心部に入射する光の入射角をη1とすればよい。
【００４１】
尚、「Ｙ’軸に沿って異なる形状の第１仮想直角三角形が並んでいる」とは、「第１反射鏡の中央における第１Ａ斜面の頂点と第１Ａ斜面の頂点との間のピッチの値と、第１反射鏡の端部における第１Ａ斜面の頂点と第１Ａ斜面の頂点との間のピッチの値とが異なる」ことと等価である。即ち、第１反射鏡の中央領域への光の入射角をη10-inとし、光反射面の中央領域におけるピッチをＰ10としたとき、光の入射角がη11-in（＞η10-in）である光反射面の領域（第１領域）におけるピッチＰ11は、Ｐ11＞Ｐ10であり、光の入射角がη12-in（＜η10-in）である光反射面の領域（第２領域）におけるピッチＰ12は、Ｐ12＜Ｐ10である。あるいは又、例えば、光反射面の中央領域（光の入射角をη10-in）におけるピッチをＰ10としたとき、光の入射角がη11-in（＞η10-in）である光反射面の中央領域の両側の領域（第３の領域及び第４の領域）には、中央領域を基準として対称に、ピッチＰ11（＞Ｐ10）にて、第１仮想直角三角形（但し、直角不等辺三角形）が並んでいる構成とすることができる。ピッチＰの値は、第１仮想直角三角形毎に異なっていてもよいし、所望の数の第１仮想直角三角形にあっては同じ値とする構成（即ち、光反射面を複数の領域に分割し、各領域に含まれる第１仮想直角三角形における傾斜角ζの値を同じとし、異なる領域に含まれる第１仮想直角三角形における傾斜角ζの値は異なる構成）とすることもできる。
【００４２】
同様に、第２反射鏡の断面形状を眺めたとき、Ｚ’軸に沿って同じ形状の第２仮想直角三角形が並んでいてもよい。あるいは又、Ｚ’軸に沿って異なる形状の第２仮想直角三角形が並んでいてもよい。具体的には、第２反射鏡の中央領域への光の入射角をη20-inとしたとき、光反射面の中央領域は、第２仮想直角三角形（但し、傾斜角ζ20である直角不等辺三角形）が並んでおり、光の入射角がη21-in（＞η20-in）である光反射面の領域（第１の領域）には、第２仮想直角三角形（但し、傾斜角ζ21＞ζ20である直角不等辺三角形）が並んでおり、光の入射角がη22-in（＜η20-in）である光反射面の領域（第２の領域）には、第２仮想直角三角形（但し、傾斜角ζ22＜ζ20である直角不等辺三角形）が並んでいる構成とすることができる。あるいは又、例えば、光反射面の中央領域（光の入射角をη20-in）には、第２仮想直角三角形（但し、直角二等辺三角形）が並んでおり、光反射面の中央領域の両側の領域（第３の領域及び第４の領域）には、入射角η21-in（＞η20-in）の光（但し、角度の正負の符号が異なる）が入射し、第３の領域及び第４の領域には、中央領域を基準として対称に、第２仮想直角三角形（但し、直角不等辺三角形）が並んでいる構成とすることができる。尚、１つの第２仮想直角三角形において、長い方の隣辺が光反射面の中央領域側に位置している。傾斜角ζ20，ζ21，ζ22の値は、第２仮想直角三角形毎に異なっていてもよいし、所望の数の第２仮想直角三角形にあっては同じ値とする構成（即ち、光反射面を複数の領域に分割し、各領域に含まれる第２仮想直角三角形における傾斜角ζの値を同じとし、異なる領域に含まれる第２仮想直角三角形における傾斜角ζの値は異なる構成）とすることもできる。後者の場合、光反射面における複数の領域のそれぞれの中心部に入射する光の入射角をη2とすればよい。
【００４３】
尚、「Ｚ’軸に沿って異なる形状の第２仮想直角三角形が並んでいる」とは、「第２反射鏡の中央における第２Ａ斜面の頂点と第２Ａ斜面の頂点との間のピッチの値と、第２反射鏡の端部における第２Ａ斜面の頂点と第２Ａ斜面の頂点との間のピッチの値とが異なる」ことと等価である。即ち、第２反射鏡の中央領域への光の入射角をη20-inとし、光反射面の中央領域におけるピッチをＰ20としたとき、光の入射角がη21-in（＞η20-in）である光反射面の領域（第１領域）におけるピッチＰ21は、Ｐ21＞Ｐ20であり、光の入射角がη22-in（＜η20-in）である光反射面の領域（第２領域）におけるピッチＰ22は、Ｐ22＜Ｐ20である。あるいは又、例えば、光反射面の中央領域（光の入射角をη20-in）におけるピッチをＰ20としたとき、光の入射角がη21-in（＞η20-in）である光反射面の中央領域の両側の領域（第３の領域及び第４の領域）には、中央領域を基準として対称に、ピッチＰ21（＞Ｐ20）にて、第２仮想直角三角形（但し、直角不等辺三角形）が並んでいる構成とすることができる。ピッチＰの値は、第２仮想直角三角形毎に異なっていてもよいし、所望の数の第２仮想直角三角形にあっては同じ値とする構成（即ち、光反射面を複数の領域に分割し、各領域に含まれる第２仮想直角三角形における傾斜角ζの値を同じとし、異なる領域に含まれる第２仮想直角三角形における傾斜角ζの値は異なる構成）とすることもできる。
【００４４】
また、本開示の第１の態様〜第２の態様に係る光反射部材において、光反射部材の断面形状とは、第１斜面の頂辺及び底辺が延びる方向に直交する仮想平面（便宜上、『第３仮想平面』と呼ぶ）で光反射部材を切断したと想定したときの形状を指す。光反射部材も、リバーサルミラーとも呼ばれる。第３仮想平面で光反射部材を切断したと想定したときの、第１斜面の底部と第２斜面の底部の成す角度θ0は９０度であり、第１斜面の頂部と第２斜面の頂部の成す角度θ0’は９０度又は鋭角又は鈍角である。第１斜面（『第１斜面−Ａ』と呼ぶ）の頂辺と、この第１斜面−Ａに隣接する第１斜面（『第１斜面−Ｂ』と呼ぶ）の頂辺と、第１斜面−Ａの底辺によって形成される仮想三角形（第３仮想平面内に含まれる）の形状は、基本的には、隣辺の長さが異なる直角三角形（便宜上、『第３仮想直角三角形』と呼ぶ）である。即ち、第１斜面の頂辺及び底辺が延びる方向と直交する方向に沿って同じ形状の第３仮想直角三角形が並んでいてもよい。あるいは又、異なる形状の第３仮想直角三角形が並んでいてもよい。具体的には、光反射部材の中央領域への光の入射角をη00-inとしたとき、光反射部材の中央領域は、第３仮想直角三角形（但し、傾斜角ζ00である直角不等辺三角形）が並んでおり、光の入射角がη01-in（＞η00-in）である光反射部材の領域（第１の領域）には、第３仮想直角三角形（但し、傾斜角ζ01＞ζ00である直角不等辺三角形）が並んでおり、光の入射角がη02-in（＜η00-in）である光反射部材の領域（第２の領域）には、第３仮想直角三角形（但し、傾斜角ζ02＜ζ00である直角不等辺三角形）が並んでいる構成とすることができる。あるいは又、例えば、光反射部材の中央領域（光の入射角をη00-in）には、第３仮想直角三角形（但し、直角二等辺三角形）が並んでおり、光反射部材の中央領域の両側の領域（第３の領域及び第４の領域）には、入射角η21-in（＞η20-in）の光（但し、角度の正負の符号が異なる）が入射し、第３の領域及び第４の領域には、中央領域を基準として対称に、第３仮想直角三角形（但し、直角不等辺三角形）が並んでいる構成とすることができる。尚、１つの第３仮想直角三角形において、長い方の隣辺が光反射面の中央領域側に位置している。傾斜角ζ00，ζ01，ζ02の値は、第３仮想直角三角形毎に異なっていてもよいし、所望の数の第３仮想直角三角形にあっては同じ値とする構成（即ち、光反射部材を複数の領域に分割し、各領域に含まれる第３仮想直角三角形における傾斜角ζの値を同じとし、異なる領域に含まれる第３仮想直角三角形における傾斜角ζの値は異なる構成）とすることもできる。後者の場合、光反射部材における複数の領域のそれぞれの中心部に入射する光の入射角をηとすればよい。
【００４５】
尚、「異なる形状の第３仮想直角三角形が並んでいる」とは、「光反射部材の中央における第１斜面の頂点と第１斜面の頂点との間のピッチの値と、光反射部材の端部における第１斜面の頂点と第１斜面の頂点との間のピッチの値とが異なる」ことと等価である。即ち、光反射部材の中央領域への光の入射角をη00-inとし、光反射部材の中央領域におけるピッチをＰ00としたとき、光の入射角がη01-in（＞η00-in）である光反射部材の領域（第１領域）におけるピッチＰ01は、Ｐ01＞Ｐ00であり、光の入射角がη02-in（＜η00-in）である光反射部材の領域（第２領域）におけるピッチＰ02は、Ｐ02＜Ｐ00である。あるいは又、例えば、光反射部材の中央領域（光の入射角をη00-in）におけるピッチをＰ00としたとき、光の入射角がη01-in（＞η00-in）である光反射部材の中央領域の両側の領域（第３の領域及び第４の領域）には、中央領域を基準として対称に、ピッチＰ01（＞Ｐ00）にて、第３仮想直角三角形（但し、直角不等辺三角形）が並んでいる構成とすることができる。ピッチＰの値は、第３仮想直角三角形毎に異なっていてもよいし、所望の数の第３仮想直角三角形にあっては同じ値とする構成（即ち、光反射部材を複数の領域に分割し、各領域に含まれる第３仮想直角三角形における傾斜角ζの値を同じとし、異なる領域に含まれる第３仮想直角三角形における傾斜角ζの値は異なる構成）とすることもできる。
【００４６】
第１反射鏡に入射した光は、第１Ａ斜面と衝突し、第１Ａ斜面で反射されて、この第１Ａ斜面に対向する第１Ｂ斜面と衝突し、第１Ｂ斜面で反射され、第１反射鏡から出射される。あるいは又、第１反射鏡に入射した光は、第１Ｂ斜面と衝突し、第１Ｂ斜面で反射されて、この第１Ｂ斜面に対向する第１Ａ斜面と衝突し、第１Ａ斜面で反射され、第１反射鏡から出射される。同様に、第２反射鏡に入射した光は、第２Ａ斜面と衝突し、第２Ａ斜面で反射されて、この第２Ａ斜面に対向する第２Ｂ斜面と衝突し、第２Ｂ斜面で反射され、第２反射鏡から出射される。あるいは又、第２反射鏡に入射した光は、第２Ｂ斜面と衝突し、第２Ｂ斜面で反射されて、この第２Ｂ斜面に対向する第２Ａ斜面と衝突し、第２Ａ斜面で反射され、第２反射鏡から出射される。また、光反射部材に入射した光は、第１斜面と衝突し、第１斜面で反射されて、この第１斜面に対向する第２斜面と衝突し、第２斜面で反射され、光反射部材から出射される。あるいは又、光反射部材に入射した光は、第２斜面と衝突し、第２斜面で反射されて、この第２斜面に対向する第１斜面と衝突し、第１斜面で反射され、光反射部材から出射される。
【００４７】
第１の形態の画像生成装置における画像形成装置として、例えば、反射型空間光変調装置及び光源から構成された画像形成装置；透過型空間光変調装置及び光源から構成された画像形成装置；有機ＥＬ（Electro Luminescence）、無機ＥＬ、発光ダイオード（ＬＥＤ）等の発光素子から構成された画像形成装置を挙げることができるが、中でも、反射型空間光変調装置及び光源から構成された画像形成装置とすることが好ましい。空間光変調装置として、ライト・バルブ、例えば、ＬＣＯＳ（Liquid Crystal On Silicon）等の透過型あるいは反射型の液晶表示装置、デジタルマイクロミラーデバイス（ＤＭＤ）を挙げることができ、光源として発光素子を挙げることができる。更には、反射型空間光変調装置は、液晶表示装置、及び、光源からの光の一部を反射して液晶表示装置へと導き、且つ、液晶表示装置によって反射された光の一部を通過させてコリメート光学系へと導く偏光ビームスプリッターから成る構成とすることができる。光源を構成する発光素子として、赤色発光素子、緑色発光素子、青色発光素子、白色発光素子を挙げることができる。発光素子として、例えば、半導体レーザ素子や固体レーザ、ＬＥＤを例示することができる。画素の数は、画像表示装置に要求される仕様に基づき決定すればよく、画素の数の具体的な値として、３２０×２４０、４３２×２４０、６４０×４８０、８５４×４８０、１０２４×７６８、１９２０×１０８０を例示することができる。コリメート光学系は、画素の位置情報を導光手段の光学系における角度情報に変換する機能を有する。コリメート光学系として、凸レンズ、凹レンズ、自由曲面プリズム、ホログラムレンズを、単独、若しくは、組み合わせた、全体として正の光学的パワーを持つ光学系を例示することができる。
【００４８】
一方、第２の形態の画像生成装置における光源として発光素子を挙げることができ、具体的には、赤色発光素子、緑色発光素子、青色発光素子、白色発光素子を挙げることができる。発光素子として、例えば、半導体レーザ素子や固体レーザ、ＬＥＤを例示することができる。第２の形態の画像表示装置における画素（仮想の画素）の数も、画像表示装置に要求される仕様に基づき決定すればよく、画素（仮想の画素）の数の具体的な値として、３２０×２４０、４３２×２４０、６４０×４８０、８５４×４８０、１０２４×７６８、１９２０×１０８０を例示することができる。また、光源を赤色発光素子、緑色発光素子、青色発光素子から構成する場合、例えば、クロスプリズムを用いて色合成を行うことが好ましい。走査手段として、光源から出射された光を水平走査及び垂直走査する、例えば、二次元方向に回転可能なマイクロミラーを有するＭＥＭＳ（Micro Electro Mechanical Systems）やガルバノ・ミラーを挙げることができる。リレー光学系は、周知のリレー光学系から構成すればよい。
【００４９】
例えば、発光素子とライト・バルブとから構成された画像形成装置あるいは光源として、全体として白色光を発光するバックライトと、赤色発光画素、緑色発光画素、及び、青色発光画素を有する液晶表示装置との組合せ以外にも、以下の構成を例示することができる。
【００５０】
［画像形成装置−Ａ］
画像形成装置−Ａは、
（α）青色を発光する第１発光素子が２次元マトリクス状に配列された第１発光パネルから成る第１画像形成装置、
（β）緑色を発光する第２発光素子が２次元マトリクス状に配列された第２発光パネルから成る第２画像形成装置、及び、
（γ）赤色を発光する第３発光素子が２次元マトリクス状に配列された第３発光パネルから成る第３画像形成装置、並びに、
（δ）第１画像形成装置、第２画像形成装置及び第３画像形成装置から出射された光を１本の光路に纏めるための手段（例えば、ダイクロイック・プリズムであり、以下の説明においても同様である）、
を備えており、
第１発光素子、第２発光素子及び第３発光素子のそれぞれの発光／非発光状態を制御する。
【００５１】
［画像形成装置−Ｂ］
画像形成装置−Ｂは、
（α）青色を発光する第１発光素子、及び、青色を発光する第１発光素子から出射された出射光の通過／非通過を制御するための第１光通過制御装置［一種のライト・バルブであり、例えば、液晶表示装置やデジタルマイクロミラーデバイス（ＤＭＤ）、ＬＣＯＳから構成され、以下の説明においても同様である］から成る第１画像形成装置、
（β）緑色を発光する第２発光素子、及び、緑色を発光する第２発光素子から出射された出射光の通過／非通過を制御するための第２光通過制御装置（ライト・バルブ）から成る第２画像形成装置、及び、
（γ）赤色を発光する第３発光素子、及び、赤色を発光する第３発光素子から出射された出射光の通過／非通過を制御するための第３光通過制御装置（ライト・バルブ）から成る第３画像形成装置、並びに、
（δ）第１光通過制御装置、第２光通過制御装置及び第３光通過制御装置を通過した光を１本の光路に纏めるための手段、
を備えており、
光通過制御装置によってこれらの発光素子から出射された出射光の通過／非通過を制御することで画像を表示する。第１発光素子、第２発光素子、第３発光素子から出射された出射光を光通過制御装置へと案内するための手段（光案内部材）として、導光部材、マイクロレンズアレイ、ミラーや反射板、集光レンズを例示することができる。
【００５２】
［画像形成装置−Ｃ］
画像形成装置−Ｃは、
（α）青色を発光する第１発光素子が２次元マトリクス状に配列された第１発光パネル、及び、第１発光パネルから出射された出射光の通過／非通過を制御するための青色光通過制御装置（ライト・バルブ）から成る第１画像形成装置、
（β）緑色を発光する第２発光素子が２次元マトリクス状に配列された第２発光パネル、及び、第２発光パネルから出射された出射光の通過／非通過を制御するための緑色光通過制御装置（ライト・バルブ）から成る第２画像形成装置、
（γ）赤色を発光する第３発光素子が２次元マトリクス状に配列された第３発光パネル、及び、第３発光パネルから出射された出射光の通過／非通過を制御するための赤色光通過制御装置（ライト・バルブ）から成る第３画像形成装置、並びに、
（δ）青色光通過制御装置、緑色光通過制御装置及び赤色光通過制御装置を通過した光を１本の光路に纏めるための手段を備えており、
光通過制御装置（ライト・バルブ）によってこれらの第１発光パネル、第２発光パネル及び第３発光パネルから出射された出射光の通過／非通過を制御することで画像を表示する。
【００５３】
［画像形成装置−Ｄ］
画像形成装置−Ｄは、フィールドシーケンシャル方式のカラー表示の画像形成装置であり、
（α）青色を発光する第１発光素子を備えた第１画像形成装置、
（β）緑色を発光する第２発光素子を備えた第２画像形成装置、及び、
（γ）赤色を発光する第３発光素子を備えた第３画像形成装置、並びに、
（δ）第１画像形成装置、第２画像形成装置及び第３画像形成装置から出射された光を１本の光路に纏めるための手段、更には、
（ε）１本の光路に纏めるための手段から出射された光の通過／非通過を制御するための光通過制御装置（ライト・バルブ）、
を備えており、
光通過制御装置によってこれらの発光素子から出射された出射光の通過／非通過を制御することで画像を表示する。
【００５４】
［画像形成装置−Ｅ］
画像形成装置−Ｅも、フィールドシーケンシャル方式のカラー表示の画像形成装置であり、
（α）青色を発光する第１発光素子が２次元マトリクス状に配列された第１発光パネルから成る第１画像形成装置、
（β）緑色を発光する第２発光素子が２次元マトリクス状に配列された第２発光パネルから成る第２画像形成装置、及び、
（γ）赤色を発光する第３発光素子が２次元マトリクス状に配列された第３発光パネルから成る第３画像形成装置、並びに、
（δ）第１画像形成装置、第２画像形成装置及び第３画像形成装置のそれぞれから出射された光を１本の光路に纏めるための手段、更には、
（ε）１本の光路に纏めるための手段から出射された光の通過／非通過を制御するための光通過制御装置（ライト・バルブ）、
を備えており、
光通過制御装置によってこれらの発光パネルから出射された出射光の通過／非通過を制御することで画像を表示する。
【００５５】
［画像形成装置−Ｆ］
画像形成装置−Ｆは、第１発光素子、第２発光素子及び第３発光素子のそれぞれの発光／非発光状態を制御することで画像を表示する、パッシブマトリックスタイプあるいはアクティブマトリックスタイプのカラー表示の画像形成装置である。
【００５６】
［画像形成装置−Ｇ］
画像形成装置−Ｇは、２次元マトリクス状に配列された発光素子ユニットからの出射光の通過／非通過を制御するための光通過制御装置（ライト・バルブ）を備えており、発光素子ユニットにおける第１発光素子、第２発光素子及び第３発光素子のそれぞれの発光／非発光状態を時分割制御し、更に、光通過制御装置によって第１発光素子、第２発光素子及び第３発光素子から出射された出射光の通過／非通過を制御することで画像を表示する、フィールドシーケンシャル方式のカラー表示の画像形成装置である。
【００５７】
第１の形態あるいは第２の形態の画像生成装置における好ましい構成にあっては、上述したとおり、第１偏向手段は反射鏡として機能し、第２偏向手段は半透過鏡として機能する。このような形態にあっては、第１偏向手段は、例えば、合金を含む金属から構成され、導光板に入射された光を反射させる光反射膜（一種のミラー）や、導光板に入射された光を回折させる回折格子（例えば、ホログラム回折格子膜）から構成することができる。また、第２偏向手段は、例えば、誘電体多層膜や、ハーフミラー、偏光ビームスプリッター、ホログラム回折格子膜から構成することができる。そして、第１偏向手段や第２偏向手段は、導光板の内部に配設されている（導光板の内部に組み込まれている）が、第１偏向手段においては、導光板に入射された平行光が導光板の内部で全反射されるように、導光板に入射された平行光が反射又は回折される。一方、第２偏向手段においては、導光板の内部を全反射により伝播した平行光が複数回に亙り反射又は回折され、導光板から平行光の状態で出射される。光ビーム伸長装置を構成する反射鏡の光反射面には、例えば、合金を含む金属から成る光反射層が形成されている。
【００５８】
あるいは又、第１の形態あるいは第２の形態の画像生成装置における好ましい構成にあっては、上述したとおり、第１偏向手段及び第２偏向手段は、例えば反射型回折格子素子、具体的には、例えば反射型体積ホログラム回折格子から成る。尚、反射型体積ホログラム回折格子から成る第１偏向手段を、便宜上、『第１回折格子部材』と呼び、反射型体積ホログラム回折格子から成る第２偏向手段を、便宜上、『第２回折格子部材』と呼ぶ場合がある。
【００５９】
ここで、第１回折格子部材あるいは第２回折格子部材を、異なるＰ種類（例えば、Ｐ＝３であり、赤色、緑色、青色の３種類）の波長帯域（あるいは、波長）を有するＰ種類の光の回折反射に対応させるために、反射型体積ホログラム回折格子から成るＰ層の回折格子層が積層されて成る構成とすることができる。各回折格子層には１種類の波長帯域（あるいは、波長）に対応する干渉縞が形成されている。あるいは又、異なるＰ種類の波長帯域（あるいは、波長）を有するＰ種類の光の回折反射に対応するために、１層の回折格子層から成る第１回折格子部材あるいは第２回折格子部材にＰ種類の干渉縞が形成されている構成とすることもできる。あるいは又、画角を例えば三等分して、第１回折格子部材あるいは第２回折格子部材を、各画角に対応する回折格子層が積層されて成る構成とすることができる。そして、これらの構成を採用することで、各波長帯域（あるいは、波長）を有する光が第１回折格子部材あるいは第２回折格子部材において回折反射されるときの回折効率の増加、回折受容角の増加、回折角の最適化を図ることができる。
【００６０】
第１回折格子部材及び第２回折格子部材を構成する材料として、フォトポリマー材料を挙げることができる。反射型体積ホログラム回折格子から成る第１回折格子部材及び第２回折格子部材の構成材料や基本的な構造は、従来の反射型体積ホログラム回折格子の構成材料や構造と同じとすればよい。反射型体積ホログラム回折格子とは、＋１次の回折光のみを回折反射するホログラム回折格子を意味する。回折格子部材には、その内部から表面に亙り干渉縞が形成されているが、係る干渉縞それ自体の形成方法は、従来の形成方法と同じとすればよい。具体的には、例えば、回折格子部材を構成する部材（例えば、フォトポリマー材料）に対して一方の側の第１の所定の方向から物体光を照射し、同時に、回折格子部材を構成する部材に対して他方の側の第２の所定の方向から参照光を照射し、物体光と参照光とによって形成される干渉縞を回折格子部材を構成する部材の内部に記録すればよい。第１の所定の方向、第２の所定の方向、物体光及び参照光の波長を適切に選択することで、回折格子部材の表面における干渉縞の所望のピッチ、干渉縞の所望の傾斜角（スラント角）を得ることができる。干渉縞の傾斜角（スラント角）とは、回折格子部材（あるいは回折格子層）の表面と干渉縞の成す角度を意味する。第１回折格子部材及び第２回折格子部材を、反射型体積ホログラム回折格子から成るＰ層の回折格子層の積層構造から構成する場合、このような回折格子層の積層は、Ｐ層の回折格子層をそれぞれ別個に作製した後、Ｐ層の回折格子層を、例えば、紫外線硬化型接着剤を使用して積層（接着）すればよい。また、粘着性を有するフォトポリマー材料を用いて１層の回折格子層を作製した後、その上に順次粘着性を有するフォトポリマー材料を貼り付けて回折格子層を作製することで、Ｐ層の回折格子層を作製してもよい。
【００６１】
第１の形態あるいは第２の形態の画像生成装置においては、コリメート光学系あるいはリレー光学系にて複数の平行光とされた光を導光板に入射させるが、このような、平行光であることの要請は、これらの光が導光板へ入射したときの光波面情報が、第１偏向手段と第２偏向手段を介して導光板から出射された後も保存される必要があることに基づく。尚、複数の平行光を生成させるためには、具体的には、例えば、コリメート光学系あるいはリレー光学系における焦点距離の所（位置）に、画像形成装置の光出射部を位置させればよい。コリメート光学系は、画素の位置情報を光学装置の光学系における角度情報に変換する機能を有する。
【００６２】
画像表示装置において、導光板は、導光板の内部全反射による光伝播方向（Ｙ方向）と平行に延びる２つの平行面（第１面及び第２面）を有している。光が入射する導光板の面を導光板入射面、光が出射する導光板の面を導光板出射面としたとき、第１面によって導光板入射面及び導光板出射面が構成されていてもよいし、第１面によって導光板入射面が構成され、第２面によって導光板出射面が構成されていてもよい。
【００６３】
導光板を構成する材料として、石英ガラスやＢＫ７等の光学ガラスを含むガラスや、プラスチック材料（例えば、ＰＭＭＡ、ポリカーボネート樹脂、アクリル系樹脂、非晶性のポリプロピレン系樹脂、ＡＳ樹脂を含むスチレン系樹脂）を挙げることができる。導光板の形状は、平板に限定するものではなく、湾曲した形状を有していてもよい。
【００６４】
本開示の画像表示装置によって、例えば、頭部装着型ディスプレイ（ＨＭＤ，Head Mounted Display）を構成することができ、装置の軽量化、小型化を図ることができ、装置装着時の不快感を大幅に軽減させることが可能となるし、更には、製造コストダウンを図ることも可能となる。
【００６５】
頭部装着型ディスプレイは、
（イ）観察者の頭部に装着される眼鏡型のフレーム、及び、
（ロ）本開示の画像表示装置、
を備えている。頭部装着型ディスプレイにあっては、本開示の画像表示装置を、１つ備えていてもよいし（片眼型）、２つ備えていてもよい（両眼型）。
【００６６】
フレームは、観察者の正面に配置されるフロント部と、フロント部の両端に蝶番を介して回動自在に取り付けられた２つのテンプル部と、各テンプル部の先端部に取り付けられたモダン部から成り、更には、ノーズパッドを備えている。頭部装着型ディスプレイの全体を眺めたとき、フレーム及びノーズパッドの組立体は、リムが無い点を除き、通常の眼鏡と略同じ構造を有する。フレームを構成する材料は、金属や合金、プラスチック、これらの組合せといった、通常の眼鏡を構成する材料と同じ材料から構成することができる。ノーズパッドも周知の構成、構造とすることができる。
【００６７】
そして、頭部装着型ディスプレイのデザイン上、あるいは、頭部装着型ディスプレイの装着の容易性といった観点から、１あるいは２の画像生成装置からの配線（信号線や電源線等）が、テンプル部、及び、モダン部の内部を介して、モダン部の先端部から外部に延び、外部回路（制御回路）に接続されている形態とすることが望ましい。更には、各画像生成装置はヘッドホン部を備えており、各画像生成装置からのヘッドホン部用配線が、テンプル部、及び、モダン部の内部を介して、モダン部の先端部からヘッドホン部へと延びている形態とすることが一層望ましい。ヘッドホン部として、例えば、インナーイヤー型のヘッドホン部、カナル型のヘッドホン部を挙げることができる。ヘッドホン部用配線は、より具体的には、モダン部の先端部から、耳介（耳殻）の後ろ側を回り込むようにしてヘッドホン部へと延びている形態とすることが好ましい。
【００６８】
頭部装着型ディスプレイにおいては、フロント部の中央部分に撮像装置が取り付けられている形態とすることができる。撮像装置は、具体的には、例えば、ＣＣＤあるいはＣＭＯＳセンサーから成る固体撮像素子とレンズから構成されている。撮像装置からの配線は、例えば、フロント部の裏面を通し、一方の画像表示装置に接続すればよく、更には、画像生成装置から延びる配線に含ませればよい。
【００６９】
頭部装着型ディスプレイを両眼型とする場合、
導光手段は、全体として画像生成装置よりも観察者の顔の中心側に配置されており、
２つの画像表示装置を結合する結合部材を更に有し、
結合部材は、観察者の２つの瞳の間に位置するフレームの中央部分の観察者に面する側に取り付けられており、
結合部材の射影像は、フレームの射影像内に含まれる構成とすることが好ましい。
【００７０】
このように、結合部材が、観察者の２つの瞳の間に位置するフレームの中央部分に取り付けられている構造とすることによって、即ち、画像表示装置は、フレームに、直接、取り付けられた構造とはなっていなければ、観察者がフレームを頭部に装着したとき、テンプル部が外側に向かって広がった状態となり、その結果、フレームが変形したとしても、係るフレームの変形によって、画像生成装置あるいは導光手段の変位（位置変化）が生じることがないか、生じたとしても、極僅かである。それ故、左右の画像の輻輳角が変化してしまうことを確実に防止することができる。しかも、フレームのフロント部の剛性を高める必要がないので、フレームの重量増加、デザイン性の低下、コストの増加を招くことがない。また、画像表示装置は、眼鏡型のフレームに、直接、取り付けられていないので、観察者の嗜好によってフレームのデザインや色等を自由に選択することが可能であるし、フレームのデザインが受ける制約も少なく、デザイン上の自由度が高い。加えて、結合部材は、観察者とフレームとの間に配置されており、しかも、結合部材の射影像は、フレームの射影像内に含まれる。云い換えれば、観察者の正面から頭部装着型ディスプレイを眺めたとき、結合部材はフレームによって隠されている。従って、高いデザイン性、意匠性を頭部装着型ディスプレイに与えることができる。
【００７１】
尚、結合部材は、観察者の２つの瞳の間に位置するフロント部の中央部分（通常の眼鏡におけるブリッジの部分に相当する）の観察者に面する側に取り付けられている構成とすることが好ましい。
【００７２】
結合部材によって２つの画像表示装置が結合されているが、具体的には、結合部材の各端部に、画像生成装置が、取付け状態調整可能に取り付けられている形態とすることができる。そして、この場合、各画像生成装置は、観察者の瞳よりも外側に位置している構成とすることが好ましい。更には、このような構成にあっては、一方の画像生成装置の取付部中心とフレームの一端部（一方の智、ヨロイ）との間の距離をα、結合部材の中心からフレームの一端部（一方の智）までの距離をβ、他方の画像生成装置の取付部中心とフレームの一端部（一方の智）との間の距離をγ、フレームの長さをＬとしたとき、０．０１×Ｌ≦α≦０．３０×Ｌ、好ましくは、０．０５×Ｌ≦α≦０．２５×Ｌ、０．３５×Ｌ≦β≦０．６５×Ｌ、好ましくは、０．４５×Ｌ≦β≦０．５５×Ｌ、０．７０×Ｌ≦γ≦０．９９×Ｌ、好ましくは、０．７５×Ｌ≦γ≦０．９５×Ｌを満足することが望ましい。結合部材の各端部への画像生成装置の取付けは、具体的には、例えば、結合部材の各端部の３箇所に貫通孔を設け、貫通孔に対応した螺合部を画像生成装置に設け、各貫通孔にビスを通し、画像生成装置に設けられた螺合部に螺合させる。ビスと螺合部との間にはバネを挿入しておく。こうして、ビスの締め付け状態によって、画像生成装置の取付け状態（結合部材に対する画像生成装置の傾き）を調整することができる。
【００７３】
ここで、画像生成装置の取付部中心とは、画像生成装置が結合部材に取り付けられている状態において、画像生成装置及びフレームを仮想平面に射影したときに得られる画像生成装置の射影像が、フレームの射影像の重なっている部分のフレームの軸線方向に沿った二等分点を指す。また、結合部材の中心とは、結合部材がフレームに取り付けられている状態において、結合部材がフレームに接している部分のフレームの軸線方向に沿った二等分点を指す。フレームの長さとは、フレームが湾曲している場合、フレームの射影像の長さである。尚、射影方向は、観察者の顔に対して垂直な方向とする。
【００７４】
あるいは又、結合部材によって２つの画像表示装置が結合されているが、具体的には、結合部材が、２つの導光手段を結合している形態とすることもできる。尚、２つの導光手段が一体的に作製されている場合があり、このような場合、係る一体的に作製された導光手段に結合部材が取り付けられているが、係る形態も、結合部材が２つの導光手段を結合している形態に包含される。一方の画像生成装置の中心とフレームの一端部との間の距離をα’他方の画像生成装置の中心とフレームの一端部との間の距離をγ’としたとき、α’，γ’の値も上述したα，γの値と同様とすることが望ましい。尚、画像生成装置の中心とは、画像生成装置が導光手段に取り付けられている状態において、画像生成装置及びフレームを仮想平面に射影したときに得られる画像生成装置の射影像が、フレームの射影像の重なっている部分のフレームの軸線方向に沿った二等分点を指す。
【００７５】
結合部材の形状は、結合部材の射影像がフレームの射影像内に含まれる限りにおいて、本質的に任意であり、例えば、棒状、細長い板状を例示することができる。結合部材を構成する材料も、金属や合金、プラスチック、これらの組合せを挙げることができる。
【実施例１】
【００７６】
実施例１は、本開示の第１の態様に係る光反射部材、本開示の第１の態様に係る光学装置、本開示の第１の態様に係る光ビーム伸長装置、並びに、本開示の第１の態様に係る画像表示装置に関する。
【００７７】
実施例１の光ビーム伸長装置をＹ方向から眺めた概念図、及び、Ｚ方向から眺めた概念図を図１の（Ａ）及び（Ｂ）に示し、光反射部材における入射光・出射光の挙動を、図２の（Ａ）、（Ｂ）及び（Ｃ）に示す。また、Ｚ方向と直交する仮想平面である第１Ａ仮想平面で第１反射鏡を切断したときの第１反射鏡の模式的な一部断面図、第１反射鏡の模式的な部分平面図、第１反射鏡の模式的な部分側面図（但し、光の挙動のみを示す）を図３の（Ａ）、（Ｂ）及び（Ｃ）に示し、Ｙ方向と直交する仮想平面である第２Ａ仮想平面で第２反射鏡を切断したときの第２反射鏡の模式的な一部断面図、第２反射鏡の模式的な部分平面図、第２反射鏡の模式的な部分側面図（但し、光の挙動のみを示す）を図４の（Ａ）、（Ｂ）及び（Ｃ）を示す。更には、第１反射鏡及び第２反射鏡の模式的な一部断面図を図５の（Ａ）及び（Ｂ）に示す。また、実施例１の光ビーム伸長装置を種々の方向から眺めたときの模式図を、図６、図７、図８に示し、実施例１の画像表示装置における画像形成装置あるいは光源と、第１反射鏡と、第２反射鏡と、導光板との位置関係を立体的に図９に示し、実施例１の光ビーム伸長装置内での光の挙動を図１０に示す。更には、実施例１の画像表示装置における画像形成装置あるいは光源と、第１反射鏡との位置関係を模式的に図１１に示し、実施例１の画像表示装置における画像形成装置あるいは光源と、第１反射鏡と、第２反射鏡との位置関係を模式的に図１２に示し、実施例１の画像表示装置における画像形成装置あるいは光源と、第１反射鏡と、第２反射鏡と、導光板との位置関係を模式的に図１３に示す。また、実施例１の画像表示装置の変形例における画像生成装置と、第１反射鏡と、第２反射鏡と、導光板との位置関係を概念的に図１４に示す。更には、実施例１の画像表示装置の変形例における画像生成装置と、第１反射鏡と、第２反射鏡との位置関係を、具体的に、図１５〜図１７に示し、実施例１の画像表示装置における画像生成装置と、第１反射鏡と、第２反射鏡との位置関係を、具体的に、図１８〜図２０に示す。
【００７８】
更には、実施例１あるいは後述する実施例２〜実施例４における画像表示装置の概念図を図２１、図２２、図２３の（Ａ）あるいは図２４に示す。
【００７９】
実施例１あるいは後述する実施例２〜実施例６における画像表示装置１００，２００，３００，４００は、
（Ａ）画像生成装置１１０，２１０、及び、
（Ｂ）画像生成装置１１０，２１０からの光が入射され、導光され、観察者の瞳に向かって出射される導光手段１３０，３３０、
を備えた画像表示装置である。そして、導光手段１３０，３３０は、
（Ｂ−１）入射された光が内部を全反射により伝播した後、出射される導光板１３１，３３１、
（Ｂ−２）導光板１３１，３３１に入射された光が導光板１３１，３３１の内部で全反射されるように、導光板１３１，３３１に入射された光を偏向させる、導光板１３１，３３１に配設された第１偏向手段１４０，３４０、及び、
（Ｂ−３）導光板１３１，３３１の内部を全反射により伝播した光を導光板１３１，３３１から出射させるために、導光板１３１，３３１の内部を全反射により伝播した光を複数回に亙り偏向させる、導光板１３１，３３１に配設された第２偏向手段１５０，３５０、
を備えている。尚、導光手段１３０，３３０は、シースルー型（半透過型）である。そして、実施例１あるいは後述する実施例２〜実施例５における画像表示装置１００，２００，３００，４００は、
（Ｃ）導光板１３１，３３１へ入射される光の入射方向をＸ方向、導光板１３１，３３１内における光の伝播方向をＹ方向としたとき、画像生成装置１１０，２１０から入射された光ビームをＺ方向に沿って伸長し、導光手段１３０，３３０へ出射する光ビーム伸長装置７０，８０、
を備えており、
光ビーム伸長装置７０，８０は、画像生成装置１１０，２１０からの光が入射される第１反射鏡７１，８１、及び、第１反射鏡７１，８１からの光が入射され、導光手段１３０，３３０へ光を出射する第２反射鏡７２，８２から成る。
【００８０】
また、実施例１あるいは後述する実施例２〜実施例６における光学装置は、導光手段１３０，３３０を備えている。導光手段１３０，３３０は、
（ｂ−１）光源（実施例においては、具体的には、画像生成装置１１０，２１０）から入射された光が内部を全反射により伝播した後、出射される導光板１３１，３３１、
（ｂ−２）導光板１３１，３３１に入射された光が導光板１３１，３３１の内部で全反射されるように、導光板１３１，３３１に入射された光を偏向させる、導光板１３１，３３１に配設された第１偏向手段１４０，３４０、及び、
（ｂ−３）導光板１３１，３３１の内部を全反射により伝播した光を導光板１３１，３３１から出射させるために、導光板１３１，３３１の内部を全反射により伝播した光を複数回に亙り偏向させる、導光板１３１，３３１に配設された第２偏向手段１５０，３５０、
を備えている。そして、更に、実施例１あるいは後述する実施例２〜実施例５にあっては、
導光板１３１，３３１へ入射される光の入射方向をＸ方向、導光板１３１，３３１内における光の伝播方向をＹ方向としたとき、光源から入射された光ビームをＺ方向に沿って伸長し、導光手段１３０，３３０へ出射する光ビーム伸長装置７０，８０、
を備えており、
光ビーム伸長装置７０，８０は、光源からの光が入射される第１反射鏡７１，８１、及び、第１反射鏡７１，８１からの光が入射され、導光手段１３０，３３０へ光を出射する第２反射鏡７２，８２から成る。
【００８１】
更には、実施例１あるいは後述する実施例２〜実施例５の光ビーム伸長装置７０，８０は、光源（実施例においては、具体的には、画像生成装置１１０，２１０）と照射面（実施例において、具体的には、導光手段１３０，３３０）との間に配置され、光源からの光が入射される第１反射鏡７１，８１、及び、第１反射鏡７１，８１からの光が入射され、照射面へ光を出射する第２反射鏡７２，８２から成る。
【００８２】
ここで、実施例１あるいは後述する実施例３の画像表示装置１００，３００において、画像生成装置１１０は、第１の形態の画像生成装置であり、
（Ａ−１）２次元マトリクス状に配列された複数の画素を有する画像形成装置１１１、及び、
（Ａ−２）画像形成装置１１１の各画素から出射された光を平行光とするコリメート光学系１１２、
を備えており、
コリメート光学系１１２からの光が第１反射鏡７１，８１に入射される。
【００８３】
第１偏向手段１４０及び第２偏向手段１５０は導光板１３１の内部に配設されている。そして、第１偏向手段１４０は、導光板１３１に入射された光を反射し、第２偏向手段１５０は、導光板１３１の内部を全反射により伝播した光を、複数回に亙り、透過、反射する。即ち、第１偏向手段１４０は反射鏡として機能し、第２偏向手段１５０は半透過鏡として機能する。より具体的には、導光板１３１の内部に設けられた第１偏向手段１４０は、アルミニウムから成り、導光板１３１に入射された光を反射させる光反射膜（一種のミラー）から構成されている。一方、導光板１３１の内部に設けられた第２偏向手段１５０は、誘電体積層膜が多数積層された多層積層構造体から構成されている。誘電体積層膜は、例えば、高誘電率材料としてのＴｉＯ2膜、及び、低誘電率材料としてのＳｉＯ2膜から構成されている。誘電体積層膜が多数積層された多層積層構造体に関しては、特表２００５−５２１０９９に開示されている。図面においては６層の誘電体積層膜を図示しているが、これに限定するものではない。誘電体積層膜と誘電体積層膜との間には、導光板１３１を構成する材料と同じ材料から成る薄片が挟まれている。尚、第１偏向手段１４０においては、導光板１３１に入射された平行光が導光板１３１の内部で全反射されるように、導光板１３１に入射された平行光が反射（又は回折）される。一方、第２偏向手段１５０においては、導光板１３１の内部を全反射により伝播した平行光が複数回に亙り反射（又は回折）され、導光板１３１から平行光の状態で出射される。
【００８４】
第１偏向手段１４０は、導光板１３１の第１偏向手段１４０を設ける部分１３４を切り出すことで、導光板１３１に第１偏向手段１４０を形成すべき斜面を設け、係る斜面に光反射膜を真空蒸着した後、導光板１３１の切り出した部分１３４を第１偏向手段１４０に接着すればよい。また、第２偏向手段１５０は、導光板１３１を構成する材料と同じ材料（例えば、ガラス）と誘電体積層膜（例えば、真空蒸着法にて成膜することができる）とが多数積層された多層積層構造体を作製し、導光板１３１の第２偏向手段１５０を設ける部分１３５を切り出して斜面を形成し、係る斜面に多層積層構造体を接着し、研磨等を行って、外形を整えればよい。こうして、導光板１３１の内部に第１偏向手段１４０及び第２偏向手段１５０が設けられた導光手段１３０を得ることができる。
【００８５】
実施例１あるいは後述する実施例３において、画像形成装置１１１は、反射型空間光変調装置１６０、及び、白色光を出射する発光ダイオードから成る光源１６３から構成されている。より具体的には、反射型空間光変調装置１６０は、ライト・バルブとしてのＬＣＯＳから成る液晶表示装置（ＬＣＤ）１６１、及び、光源１６３からの光の一部を反射して液晶表示装置１６１へと導き、且つ、液晶表示装置１６１によって反射された光の一部を通過させてコリメート光学系１１２へと導く偏光ビームスプリッター１６２から構成されている。液晶表示装置１６１は、２次元マトリクス状に配列された複数（例えば、３２０×２４０個）の画素（液晶セル）を備えている。偏光ビームスプリッター１６２は、周知の構成、構造を有する。光源１６３から出射された無偏光の光は、偏光ビームスプリッター１６２に衝突する。偏光ビームスプリッター１６２において、Ｐ偏光成分は通過し、系外に出射される。一方、Ｓ偏光成分は、偏光ビームスプリッター１６２において反射され、液晶表示装置１６１に入射し、液晶表示装置１６１の内部で反射され、液晶表示装置１６１から出射される。ここで、液晶表示装置１６１から出射した光の内、「白」を表示する画素から出射した光にはＰ偏光成分が多く含まれ、「黒」を表示する画素から出射した光にはＳ偏光成分が多く含まれる。従って、液晶表示装置１６１から出射され、偏光ビームスプリッター１６２に衝突する光の内、Ｐ偏光成分は、偏光ビームスプリッター１６２を通過し、コリメート光学系１１２へと導かれる。一方、Ｓ偏光成分は、偏光ビームスプリッター１６２において反射され、光源１６３に戻される。液晶表示装置１６１は、例えば、２次元マトリクス状に配列された複数（例えば、３２０×２４０個）の画素（液晶セルの数は画素数の３倍）を備えている。コリメート光学系１１２は、例えば、凸レンズから構成され、平行光を生成させるために、コリメート光学系１１２における焦点距離の所（位置）に画像形成装置１１１（より具体的には、液晶表示装置１６１）が配置されている。また、１画素は、赤色を出射する赤色発光副画素、緑色を出射する緑色発光副画素、及び、青色を出射する青色発光副画素から構成されている。
【００８６】
ここで、実施例１、あるいは、後述する実施例２〜実施例６において、光学ガラスやプラスチック材料から成る導光板１３１，３３１は、導光板１３１，３３１の内部全反射による光伝播方向（Ｙ方向）と平行に延びる２つの平行面（第１面１３２，３３２及び第２面１３３，３３３）を有している。第１面１３２，３３２と第２面１３３，３３３とは対向している。そして、光入射面に相当する第１面１３２，３３２から平行光が入射され、内部を全反射により伝播した後、光出射面に相当する第１面１３２，３３２から出射される。但し、これに限定するものではなく、第２面１３３，３３３によって光入射面が構成され、第１面１３２，３３２によって光出射面が構成されていてもよい。
【００８７】
そして、実施例１の光ビーム伸長装置７０において、
第１反射鏡７１の光反射面は、第１Ａ斜面７１Ａと第１Ｂ斜面７１Ｂとが交互に連続して並置され、断面形状が鋸歯形状を有し、
第１Ａ斜面７１Ａの頂辺及び底辺は平行であり、Ｚ方向に延びており、
一対の第１Ａ斜面７１Ａ及び第１Ｂ斜面７１Ｂにおいて、第１Ａ斜面７１Ａの底部と第１Ｂ斜面７１Ｂの底部の成す角度θ1は９０度であり、且つ、第１Ａ斜面７１Ａの長さは第１Ｂ斜面７１Ｂの長さよりも短く、
第１Ａ斜面７１Ａの高さは一定であり、
第１反射鏡７１への光の入射角をη1（度）、第１Ａ斜面７１Ａの傾斜角をζ1（度）とし、第１Ａ斜面７１Ａの頂辺を基準として、第１Ａ斜面側へ向かう光の入射角の方向を正の方向としたとき、
２ζ1−η1＝９０±１０
を満足する。
【００８８】
また、第２反射鏡７２の光反射面は、第２Ａ斜面７２Ａと第２Ｂ斜面７２Ｂとが交互に連続して並置され、断面形状が鋸歯形状を有し、
第２Ａ斜面７２Ａの頂辺及び底辺は平行であり、Ｙ方向に延びており、
一対の第２Ａ斜面７２Ａ及び第２Ｂ斜面７２Ｂにおいて、第２Ａ斜面７２Ａの底部と第２Ｂ斜面７２Ｂの底部の成す角度θ2は９０度であり、且つ、第２Ａ斜面７２Ａの長さは第２Ｂ斜面７２Ｂの長さよりも短く、
第２Ａ斜面７２Ａの高さは一定であり、
第２反射鏡７２への光の入射角をη2（度）、第２Ａ斜面７２Ａの傾斜角をζ2（度）とし、第２Ａ斜面７２Ａの頂辺を基準として、第２Ａ斜面側へ向かう光の入射角の方向を正の方向としたとき、
２ζ2−η2＝９０±１０
を満足する。
【００８９】
ここで、一対の第１Ａ斜面７１Ａ及び第１Ｂ斜面７１Ｂにおいて、第１Ａ斜面７１Ａの頂辺と第１Ｂ斜面７１Ｂの頂辺とは同じ頂辺を占め、第１Ａ斜面７１Ａの底辺と第１Ｂ斜面７１Ｂの底辺とは同じ底辺を占める。同様に、一対の第２Ａ斜面７２Ａ及び第２Ｂ斜面７２Ｂにおいて、第２Ａ斜面７２Ａの頂辺と第２Ｂ斜面７２Ｂの頂辺とは同じ頂辺を占め、第２Ａ斜面７２Ａの底辺と第２Ｂ斜面７２Ｂの底辺とは同じ底辺を占める。
【００９０】
尚、第１反射鏡７１から光反射部材を構成する場合、光反射部材における第１斜面及び第２斜面を、第１反射鏡７１における第１Ａ斜面７１Ａ及び第１Ｂ斜面７１Ｂと読み替えればよい。また、第２反射鏡７２から光反射部材を構成する場合、光反射部材における第１斜面及び第２斜面を、第２反射鏡７２における第２Ａ斜面７２Ａ及び第２Ｂ斜面７２Ｂと読み替えればよい。尚、光反射部材にあっては、第１斜面の頂辺及び底辺の延びる方向に直交する仮想平面に射影したとき、第１斜面に入射する光の軌跡と、第２斜面から出射される光の軌跡とは平行であり、第２斜面に入射する光の軌跡と、第１斜面から出射される光の軌跡とは平行である。
【００９１】
第１反射鏡７１及び第２反射鏡７２の模式的な一部断面図を図５の（Ａ）及び（Ｂ）に示す。ここで、図５の（Ａ）に示す第１反射鏡７１の模式的な一部断面図は、Ｚ方向と直交する仮想平面である第１Ａ仮想平面で第１反射鏡７１を切断したときの模式的な一部断面図である。一方、図５の（Ｂ）に示す第２反射鏡７２の模式的な一部断面図は、Ｙ方向と直交する仮想平面である第２Ａ仮想平面で第２反射鏡７２を切断したときの模式的な一部断面図である。第１反射鏡７１及び第２反射鏡７２の光反射面には、例えば、アルミニウムといった光反射材料から成る光反射層７１Ｅ，７２Ｅが設けられている。
【００９２】
尚、実施例１にあっては、第１反射鏡７１の法線方向（Ｘ’軸）はＸ方向（Ｘ軸）と角度η1（＞０度）を成しており、第２反射鏡７２の法線方向（Ｘ’軸）はＸ方向（Ｘ軸）と角度η2（＞０度）を成している。
【００９３】
実施例１にあっては、第１Ａ斜面７１Ａの頂部７１Ｃと第１Ｂ斜面７１Ｂの頂部７１Ｃの成す角度（θ1’）を９０度とした。また、第２Ａ斜面７２Ａの頂部７２Ｃと第２Ｂ斜面７２Ｂの頂部７２Ｃの成す角度（θ2’）も９０度とした。前述した第１Ａ斜面−Ａの頂辺と、この第１Ａ斜面−Ａに隣接する第１Ａ斜面−Ｂの頂辺と、第１Ａ斜面−Ａの底辺７１Ｄによって形成される仮想三角形７１Ｆの形状は、直角不等辺三角形（第１仮想直角三角形）である。また、第２Ａ斜面−Ａの頂辺と、この第２Ａ斜面−Ａに隣接する第２Ａ斜面−Ｂの頂辺と、第２Ａ斜面−Ａの底辺７２Ｄによって形成される仮想三角形７２Ｆの形状は、直角不等辺三角形（第２仮想直角三角形）である。
【００９４】
実施例１において、第１反射鏡７１にあっては、Ｙ’軸に沿って同じ形状の第１仮想直角三角形が並んでいるし、同様に、第２反射鏡７２にあっては、Ｚ’軸に沿って同じ形状の第２仮想直角三角形が並んでいる。
【００９５】
第１反射鏡７１に入射した光は、第１Ａ斜面７１Ａと衝突し、第１Ａ斜面７１Ａで反射されて、この第１Ａ斜面７１Ａに対向する第１Ｂ斜面７１Ｂと衝突し、第１Ｂ斜面７１Ｂで反射され、第１反射鏡７１から出射される。あるいは又、第１反射鏡７１に入射した光は、第１Ｂ斜面７１Ｂと衝突し、第１Ｂ斜面７１Ｂで反射されて、この第１Ｂ斜面７１Ｂに対向する第１Ａ斜面７１Ａと衝突し、第１Ａ斜面７１Ａで反射され、第１反射鏡７１から出射される。同様に、第２反射鏡７２に入射した光は、第２Ａ斜面７２Ａと衝突し、第２Ａ斜面７２Ａで反射されて、この第２Ａ斜面７２Ａに対向する第２Ｂ斜面７２Ｂと衝突し、第２Ｂ斜面７２Ｂで反射され、第２反射鏡７２から出射される。あるいは又、第２反射鏡７２に入射した光は、第２Ｂ斜面７２Ｂと衝突し、第２Ｂ斜面７２Ｂで反射されて、この第２Ｂ斜面７２Ｂに対向する第２Ａ斜面７２Ａと衝突し、第２Ａ斜面７２Ａで反射され、第２反射鏡７２から出射される。
【００９６】
以下、図１の（Ａ）及び（Ｂ）、図３の（Ａ）、（Ｂ）及び（Ｃ）、図４の（Ａ）、（Ｂ）及び（Ｃ）、図６、図７、図８、図９、図１０、図１１、図１２、図１３を参照して、画像形成装置から第１反射鏡、第２反射鏡を経由して導光板に到達する光の挙動を説明する。
【００９７】
尚、図１に示す構成、構造にあっては、画像形成装置１１１あるいは光源２６１（後述する）から出射された光の一部は、一点鎖線で示すハーフミラー７３（図１の（Ｂ）参照）を通過し、第１反射鏡７１に入射し、第１反射鏡７１から出射され、その一部がハーフミラー７３によって反射され、一点鎖線で示すハーフミラー７４（図１の（Ｂ）参照）に入射し、ハーフミラー７４によって一部が反射され、第２反射鏡７２に入射し、第２反射鏡７２から出射され、その一部がハーフミラー７４を通過し、導光板１３１，３３１に入射する。尚、図１の（Ａ）においては、「Ａ」にて示す場所にハーフミラー７３が配置され、「Ｂ」にて示す場所にハーフミラー７４が配置されている。
【００９８】
一方、図６〜図２０に示す構成、構造にあっては、ハーフミラーを使用せず、画像形成装置１１１あるいは光源２６１、第１反射鏡７１、第２反射鏡７２、導光板１３１，３３１を空間に適切に配置することで、画像形成装置１１１あるいは光源２６１から、第１反射鏡７１、第２反射鏡７２を経由して導光板１３１，３３１に入射する光が、画像形成装置１１１あるいは光源２６１や第２反射鏡７２に遮られることを防いでいる。
【００９９】
そして、実施例１の光ビーム伸長装置７０の第１反射鏡７１において、第１Ａ仮想平面（図３の（Ａ）にあっては、図面紙面と平行な面）に射影したとき、画像生成装置１１０，２１０（あるいは光源）から第１反射鏡７１に入射する光の軌跡（図３の（Ａ）においては、Ａ，Ｂで示す）と、第１反射鏡７１から出射される光（図３の（Ａ）においては、Ｃ，Ｄで示す）の軌跡とは平行である（図１の（Ｂ）、図３の（Ａ）参照）。一方、第１Ｂ仮想平面（図３の（Ｂ）にあっては、図面紙面と平行な面）に射影したとき、画像生成装置１１０，２１０（あるいは光源）から第１反射鏡７１に入射する光（図３の（Ｂ）においては、Ａ，Ｂで示す）の軌跡と、第１反射鏡７１から出射される光（図３の（Ｂ）においては、Ｃ，Ｄで示す）の軌跡とは、第１Ａ仮想平面に対して対称である。尚、図３の（Ｃ）には、第１反射鏡７１の模式的な部分側面図を示すが、この図にあっては、第１反射鏡７１の頂点（頂辺）７１Ｃ’及び底辺７１Ｄを示し、第１反射鏡７１の斜面は透明なものとして図示しており、光の挙動のみを示している。尚、光の軌跡ＢＣは、第１反射鏡７１の頂点７１Ｃ’と頂点７１Ｃ’とを結ぶ直線と平行である。
【０１００】
また、第２反射鏡７２において、第２Ａ仮想平面（図４の（Ａ）にあっては、図面紙面と平行な面）に射影したとき、第１反射鏡７１から第２反射鏡７２に入射する光（図４の（Ａ）においては、Ｅ，Ｆで示す）の軌跡と、第２反射鏡７２から出射される光（図４の（Ａ）においては、Ｇ，Ｈで示す）の軌跡とは平行である（図１の（Ａ）、図４の（Ａ）参照）。一方、第２Ｂ仮想平面（図４の（Ｂ）にあっては、図面紙面と平行な面）に射影したとき、第１反射鏡７１から第２反射鏡７２に入射する光（図４の（Ｂ）においては、Ｅ，Ｆで示す）の軌跡と、第２反射鏡７２から出射される光（図４の（Ｂ）においては、Ｇ，Ｈで示す）の軌跡とは、第２Ａ仮想平面に対して対称である。尚、図４の（Ｃ）には、第２反射鏡７２の模式的な部分側面図を示すが、この図にあっては、第２反射鏡７２の頂点（頂辺）７２Ｃ’及び底辺７２Ｄを示し、第２反射鏡７２の斜面は透明なものとして図示しており、光の挙動のみを示している。尚、光の軌跡ＦＧは、第２反射鏡７２の頂点７２Ｃ’と頂点７２Ｃ’とを結ぶ直線と平行である。
【０１０１】
そして、画像生成装置１１０，２１０（あるいは光源）の中心から出射され、第１反射鏡７１に入射する光の光路長と、画像生成装置１１０，２１０（あるいは光源）の中心から出射された光であって、第１反射鏡７１から出射され、第２反射鏡７２に入射し、出射され、導光手段（あるいは照射面）に入射する光の光路長とは、等しい。更には、画像生成装置１１０，２１０（あるいは光源）から出射される光ビームのＹ方向に沿った大きさＹ0は、導光手段１３０，３３０（あるいは照射面）に入射する光ビームのＹ方向に沿った大きさと等しい（図１の（Ｂ）参照）。一方、導光手段１３０，３３０（あるいは照射面）に入射する光ビームのＺ方向に沿った大きさＺ1は、画像生成装置１１０，３１０（あるいは光源）から出射される光ビームのＺ方向に沿った大きさＺ0よりも大きい（図１の（Ａ）参照）。更には、導光手段１３０，３３０から出射される光ビームのＺ方向に沿った大きさは、画像生成装置１１０，２１０（あるいは光源）から出射される光ビームのＺ方向に沿った大きさＺ0と等しい。
【０１０２】
尚、このような構成を達成するためには、画像形成装置１１１あるいは光源２６１、第１反射鏡７１、第２反射鏡７２、導光板１３１，３３１を空間に適切に配置し、これらの構成、構造の最適化を図ればよい。然るに、最適化を図った場合、屡々、第１反射鏡７１や第２反射鏡７２の法線方向（Ｘ’軸）がＸ方向と平行ではない状態となる。また、第１反射鏡７１や第２反射鏡７２の法線方向（Ｘ’軸）をＸ方向と平行とした場合、第１反射鏡７１や第２反射鏡７２によって反射された像に無視出来ない歪みが生じる場合があり、このような場合にも、第１反射鏡７１及び第２反射鏡７２の法線方向（Ｘ’軸）がＸ方向と平行ではない状態とすることが好ましい。
【０１０３】
実施例１にあっては、光ビーム（光束）を、Ｚ方向に沿って伸長し、一方、Ｙ方向には伸長させない状態で、導光手段１３０，３３０へと入射させる光ビーム伸長装置７０を備えている。光ビーム伸長装置７０は、一種のビームエキスパンダーとして機能する。それ故、画像生成装置１１０，２１０におけるＺ方向の開口絞りの径を大きく設定する必要が無くなり、画像生成装置１１０，２１０に備えるべきレンズの径を大きくする必要が無い。即ち、画像形成装置１１１に備えられたコリメート光学系１１２に備えられたレンズの径を大きくする必要が無く、画像表示装置の小型化、軽量化を図ることができるし、表示コントラストが低下し、画質が劣化するといった問題の発生も無い。
【０１０４】
図２の（Ａ）、（Ｂ）及び（Ｃ）に、光反射部材の模式的な一部断面図を示し、併せて、光反射部材に入射し、光反射部材から出射される光の軌跡を描写する。尚、第１斜面への光の入射角をη（＞０度）、第１斜面の傾斜角をζ（＞４５度）とし、第１斜面の頂辺を基準として、第１斜面側へ向かう光の入射角の方向を正の方向としている。尚、一点鎖線『ＮＬ』は法線を示す。また、第１斜面の法線を二点鎖線で示す。
【０１０５】
図２の（Ａ）に示すように、例えば、入射角ηAにて光反射部材の第１斜面に入射した光「Ａ1」は、第１斜面で反射され（光「Ａ2」で示す）、この第１斜面と対向する第２斜面に入射し、第２斜面で反射され、第２斜面から出射される（光「Ａ3」で示す）。ここで、
２ζ−ηA＝９０±１０（度）
を満足している。光「Ａ1」の軌跡と光「Ａ3」の軌跡とは、前述したとおり、図２の（Ａ）の紙面にこれらの軌跡を射影したとき平行である。「Ａ2」の軌跡は、第１斜面の頂点と頂点とを結ぶ直線と平行である。
【０１０６】
一方、図２の（Ｂ）に示すように、入射角ηB（ηB＞ηA）にて光反射部材の第１斜面に入射した光「Ｂ1」は、第１斜面で反射され（光「Ｂ2」で示す）、この第１斜面と対向する第２斜面に入射し、第２斜面で反射され、第２斜面から出射される（光「Ｂ3」で示す）。しかしながら、第１斜面に入射した光の一部、光「Ｃ1」は第１斜面で反射され、この第１斜面と対向する第２斜面に入射することなく、光反射部材から出射される（光「Ｃ2」で示す。即ち、光反射部材（あるいは第１反射鏡、第２反射鏡）に入射する光の方向と、出射される光の方向の平行性、対称性が、一部、無くなってしまう。
【０１０７】
また、図２の（Ｃ）に示すように、入射角ηD（ηD＜ηA）にて光反射部材に入射した光「Ｄ1」は、第１斜面で反射され（光「Ｄ2」で示す）、この第１斜面と対向する第２斜面に入射し、第２斜面で反射され、第２斜面から出射される（光「Ｄ3」で示す）。一方、第２斜面に入射した光「Ｄ3」は、第２斜面で反射され（光「Ｄ2」で示す）、この第２斜面と対向する第１斜面に入射し、第１斜面で反射され、第１斜面から出射される（光「Ｄ1」で示す）。しかしながら、第２斜面に入射した光の一部（光「Ｅ1」で示す）は、第２斜面で反射され、この第２斜面と対向する第１斜面に入射することなく、光反射部材から出射される（光「Ｅ2」で示す）。即ち、光反射部材（あるいは第１反射鏡、第２反射鏡）に入射する光の方向と、出射される光の方向の平行性、対称性が、一部、無くなってしまう。
【０１０８】
以上に説明したとおり、光反射部材、第１反射鏡、第２反射鏡において、光の入射角η，η1，η2と傾斜角ζ，ζ1，ζ2とが、
２ζ −η ＝９０
２ζ1−η1＝９０
２ζ2−η2＝９０
を満足するとき、光反射部材、あるいは第１反射鏡、第２反射鏡に入射する光の方向と、出射される光の方向の平行性、対称性は無くなることがなく、最も効率良く、光を反射することができる。尚、例えば、
２ζ −η ＝９０±１０（度）
２ζ1−η1＝９０±１０（度）
２ζ2−η2＝９０±１０（度）
の関係があれば、実用上、光反射部材、あるいは第１反射鏡、第２反射鏡に入射する光の方向と、出射される光の方向の平行性、対称性は一部保たれる。即ち、光反射面の斜面あるいは光反射部材における各種パラメータ（η，ζ等）を規定することで、光ビーム伸長装置あるいは光反射部材に入射した光を効率良く出射させることができる。
【０１０９】
実施例１の画像表示装置の変形例における画像生成装置１１０，２１０と、第１反射鏡７１と、第２反射鏡７２と、導光板１３１，３３１との位置関係を概念的に図１４に示し、実施例１の画像表示装置の変形例における画像生成装置１１０，２１０と、第１反射鏡７１と、第２反射鏡７２との位置関係を具体的に図１５〜図１７に示す。また、実施例１の画像表示装置における画像生成装置１１０，２１０と、第１反射鏡７１と、第２反射鏡７２との位置関係を具体的に図１８〜図２０に示す。尚、図１５及び図１８は、画像生成装置１１０，２１０と、第１反射鏡７１と、第２反射鏡７２との位置関係を透視図で示し、図１６及び図１９は、画像表示装置を正面から眺めた図であり、図１７及び図２０は、画像表示装置を側面から眺めた図である。
【０１１０】
図１４、図１５〜図１７に示した変形例にあっては、画像生成装置１１０，２１０と第１反射鏡７１との間、あるいは、光源と第１反射鏡７１との間には、少なくとも１枚の平面反射部材（実施例１にあっては２枚の平面反射部材７５，７６）が備えられており、第１反射鏡７１と第２反射鏡７２との間には、少なくとも１枚の平面反射部材（実施例１にあっては１枚の平面反射部材７６）が備えられている。そして、画像生成装置１１０，２１０と第１反射鏡７１との間、あるいは、光源と第１反射鏡７１との間に備えられた１枚の平面反射部材７６は、第１反射鏡７１と第２反射鏡７２との間に備えられた１枚の平面反射部材７６を兼ねている。このような形態を採用することで、画像生成装置１１０，２１０から第１反射鏡７１までの光路、あるいは、光源から第１反射鏡７１までの光路が、一種、折り畳まれる。その結果、画像生成装置１１０，２１０（あるいは光源）の中心から出射され、第１反射鏡７１に入射する光の光路長（図１４における、Ｌ1＋Ｌ2＋Ｌ3）と、画像生成装置１１０，２１０（あるいは光源）の中心から出射された光であって、第１反射鏡７１から出射され、第２反射鏡７２に入射し、出射され、導光手段（あるいは照射面）に入射する光の光路長（図１４における、Ｌ4＋Ｌ5＋Ｌ6）とを、コンパクトな構成、構造で、等しくすることが可能となる。即ち、光ビーム伸長装置、光学装置あるいは画像表示装置のコンパクト化を達成することができる。
【実施例２】
【０１１１】
実施例２は、実施例１の変形であり、第２の形態の画像生成装置２１０に関する。実施例２、あるいは、後述する実施例４の画像表示装置２００，４００は、図２２あるいは図２４に概念図を示すように、
（Ａ−１）光源２６１、
（Ａ−２）光源２６１から出射された光を平行光とするコリメート光学系２６２、
（Ａ−３）コリメート光学系２６２から出射された平行光を走査する走査手段２６３、及び、
（Ａ−４）走査手段２６３によって走査された平行光をリレーするリレー光学系２６４、
を備えており、
リレー光学系２６４からの光が第１反射鏡７１に入射される。
【０１１２】
ここで、導光手段１３０は、実施例１にて説明した導光手段１３０と同じ構成、構造を有しているので、詳細な説明は省略する。
【０１１３】
光源２６１は、赤色を発光する赤色発光素子２６１Ｒ、緑色を発光する緑色発光素子２６１Ｇ、青色を発光する青色発光素子２６１Ｂから構成されており、各発光素子は半導体レーザ素子から成る。光源２６１から出射された３原色の光は、クロスプリズム２６５を通過することで色合成が行われ、光路が一本化され、全体として正の光学的パワーを持つコリメート光学系２６２に入射し、平行光として出射される。そして、この平行光は、全反射ミラー２６６で反射され、マイクロミラーを二次元方向に回転自在とし、入射した平行光を２次元的に走査することができるＭＥＭＳから成る走査手段２６３によって水平走査及び垂直走査が行われ、一種の２次元画像化され、仮想の画素が生成される。そして、仮想の画素からの光は、周知のリレー光学系から構成されたリレー光学系２６４を通過し、平行光とされた光束が、光ビーム伸長装置７０を経由して、導光手段１３０に入射する。
【実施例３】
【０１１４】
実施例３も、実施例１の変形である。図２３の（Ａ）に概念図を示すように、実施例３の画像表示装置３００における画像形成装置１１１及びコリメート光学系１１２、光ビーム伸長装置７０は、実施例１において説明した画像形成装置１１１及びコリメート光学系１１２、光ビーム伸長装置７０と同じ構成、構造を有する。また、導光手段３３０も、第１偏向手段及び第２偏向手段の構成、構造が異なる点を除き、基本的な構成、構造、即ち、
（Ｃ−１）入射された光が内部を全反射により伝播した後、出射される導光板３３１、
（Ｃ−２）導光板３３１に入射された光が導光板３３１の内部で全反射されるように、導光板３３１に入射された光を偏向させる、導光板３３１に配設された第１偏向手段、及び、
（Ｃ−３）導光板３３１の内部を全反射により伝播した光を導光板３３１から出射させるために、導光板３３１の内部を全反射により伝播した光を複数回に亙り偏向させる、導光板３３１に配設された第２偏向手段、
を備えている点は、実施例１の導光手段１３０と同じである。
【０１１５】
実施例３にあっては、第１偏向手段及び第２偏向手段は導光板３３１の表面（具体的には、導光板３３１の第２面３３３）に配設されている。そして、第１偏向手段は、導光板３３１に入射された光を回折し、第２偏向手段は、導光板３３１の内部を全反射により伝播した光を、複数回に亙り、回折する。ここで、第１偏向手段及び第２偏向手段は、回折格子素子、具体的には反射型回折格子素子、より具体的には反射型体積ホログラム回折格子から成る。以下の説明において、反射型体積ホログラム回折格子から成る第１偏向手段を、便宜上、『第１回折格子部材３４０』と呼び、反射型体積ホログラム回折格子から成る第２偏向手段を、便宜上、『第２回折格子部材３５０』と呼ぶ。
【０１１６】
そして、実施例３、あるいは、後述する実施例４にあっては、第１回折格子部材３４０及び第２回折格子部材３５０を、異なるＰ種類（具体的には、Ｐ＝３であり、赤色、緑色、青色の３種類）の波長帯域（あるいは、波長）を有するＰ種類の光の回折反射に対応させるために、反射型体積ホログラム回折格子から成るＰ層の回折格子層が積層されて成る構成としている。尚、フォトポリマー材料から成る各回折格子層には、１種類の波長帯域（あるいは、波長）に対応する干渉縞が形成されており、従来の方法で作製されている。より具体的には、赤色の光を回折反射する回折格子層と、緑色の光を回折反射する回折格子層と、青色の光を回折反射する回折格子層とが積層された構造を、第１回折格子部材３４０及び第２回折格子部材３５０は有する。回折格子層（回折格子素子）に形成された干渉縞のピッチは一定であり、干渉縞は直線状であり、Ｚ方向に平行である。尚、図２３の（Ａ）及び図２４においては、第１回折格子部材３４０及び第２回折格子部材３５０を１層で示した。このような構成を採用することで、各波長帯域（あるいは、波長）を有する光が第１回折格子部材３４０及び第２回折格子部材３５０において回折反射されるときの回折効率の増加、回折受容角の増加、回折角の最適化を図ることができる。
【０１１７】
図２３の（Ｂ）に反射型体積ホログラム回折格子の拡大した模式的な一部断面図を示す。反射型体積ホログラム回折格子には、傾斜角（スラント角）φを有する干渉縞が形成されている。ここで、傾斜角（スラント角）φとは、反射型体積ホログラム回折格子の表面と干渉縞の成す角度を指す。干渉縞は、反射型体積ホログラム回折格子の内部から表面に亙り、形成されている。干渉縞は、ブラッグ条件を満たしている。ここで、ブラッグ条件とは、以下の式（Ａ）を満足する条件を指す。式（Ａ）中、ｍは正の整数、λは波長、ｄは格子面のピッチ（干渉縞を含む仮想平面の法線方向の間隔）、Θは干渉縞へ入射する角度の余角を意味する。また、入射角ψにて回折格子部材に光が侵入した場合の、Θ、傾斜角（スラント角）φ、入射角ψの関係は、式（Ｂ）のとおりである。
【０１１８】
ｍ・λ＝２・ｄ・ｓｉｎ（Θ）    （Ａ）
Θ＝９０°−（φ＋ψ）          （Ｂ）
【０１１９】
第１回折格子部材３４０は、上述したとおり、導光板３３１の第２面３３３に配設（接着）されており、第１面３３２から導光板３３１に入射されたこの平行光が導光板３３１の内部で全反射されるように、導光板３３１に入射されたこの平行光を回折反射する。更には、第２回折格子部材３５０は、上述したとおり、導光板３３１の第２面３３３に配設（接着）されており、導光板３３１の内部を全反射により伝播したこの平行光を、複数回、回折反射し、導光板３３１から平行光のまま第１面３３２から出射する。但し、これに限定するものではなく、第２面３３３によって導光板入射面が構成され、第１面３３２によって導光板出射面が構成されていてもよい。
【０１２０】
そして、導光板３３１にあっても、赤色、緑色及び青色の３色の平行光が内部を全反射により伝播した後、出射される。このとき、導光板３３１が薄く導光板３３１の内部を進行する光路が長いため、各画角（水平画角）によって第２回折格子部材３５０に至るまでの全反射回数は異なっている。より詳細に述べれば、導光板３３１に入射する平行光のうち、第２回折格子部材３５０に近づく方向の角度（水平画角）をもって入射する平行光の反射回数は、第２回折格子部材３５０から離れる方向の水平画角をもって導光板３３１に入射する平行光の反射回数よりも少ない。これは、第１回折格子部材３４０において回折反射される平行光であって、第２回折格子部材３５０に近づく方向の水平画角をもって導光板３３１に入射する平行光の方が、これと逆方向の水平画角をもって導光板３３１に入射する平行光よりも、導光板３３１の内部を伝播していく光が導光板３３１の内面と衝突するときの導光板３３１の法線と成す角度が大きくなるからである。また、第２回折格子部材３５０の内部に形成された干渉縞の形状と、第１回折格子部材３４０の内部に形成された干渉縞の形状とは、導光板３３１のＸＺ平面に対して対称な関係にある。
【０１２１】
次に説明する実施例４における導光板３３１も、基本的には、以上に説明した導光板３３１の構成、構造と同じ構成、構造を有する。
【０１２２】
実施例３にあっては、導光板３３１の内部全反射による光伝播方向をＹ方向、導光板３３１の厚さ方向をＸ方向としたとき、第１回折格子部材３４０及び第２回折格子部材３５０における干渉縞の並ぶ方向、即ち、回折方向はＹ方向である。
【０１２３】
反射型体積ホログラム回折格子の表面が十分に平滑、平坦でないと、光が散乱したり、コントラストの低下や解像度の劣化が生じ得る。このような問題の発生を防止し、しかも、反射型体積ホログラム回折格子の保護といった観点から、導光手段３３０を、光入射側から、導光板３３１、反射型体積ホログラム回折格子３４０，３５０、透明な平行平板が積層された構造とすることもできる。
【０１２４】
実施例３において、第１偏向手段（第１回折格子部材３４０）と第２偏向手段（第２回折格子部材３５０）の中心間距離３０ｍｍ、入射光の波長を５２２ｎｍ、導光板３３１への０度入射光の回折角（導光板３３１内の全反射角）を５９度とする。また、導光板３３１の厚さを１．５ｍｍ、屈折率を１．５２、アイレリーフを１５ｍｍとする。このとき、第１回折格子部材３４０の中心に衝突する光の導光板３３１への入射点（以下、単に『光入射点』と呼ぶ）から、観察者の瞳までの距離は、空気換算長、４０ｍｍとなる。そして、光入射点から観察者の瞳４１までの距離が最も長くなるのは水平画角が負のときである。ここで、水平画角±１１度、垂直画角±８．３度とすると、水平画角−１１度の光線の光入射点から観察者の瞳４１までの距離の空気換算長は４８ｍｍである。この４８ｍｍの距離で垂直画角±８．３度の開口絞り（クリアアパーチャー）を確保する必要がある。従って、垂直方向に必要な投射光学系の口径は、観察者の瞳径を３ｍｍとすると１７ｍｍとなる。この口径が、導光板３３１におけるＺ方向に沿った光出射領域の長さに相当する。そして、この場合、第２反射鏡７２におけるＺ方向の光反射領域の長さは、｛１７＋２×Ｌ6×ｔａｎ（８．３゜）｝ｍｍとなる。
【実施例４】
【０１２５】
実施例４は、実施例３の変形である。実施例４の画像表示装置の概念図を図２４に示すが、実施例４の画像表示装置における光源２６１、コリメート光学系２６２、走査手段２６３、リレー光学系２６４等は、実施例２と同じ構成、構造を有する。また、実施例４における導光手段３３０は、実施例３における導光手段３３０と同じ構成、構造を有する。
【実施例５】
【０１２６】
実施例５は、本開示の第２の態様に係る光反射部材、本開示の第２の態様に係る光学装置、本開示の第２の態様に係る光ビーム伸長装置、並びに、本開示の第２の態様に係る画像表示装置に関する。
【０１２７】
実施例１の第１反射鏡７１にあっては、Ｙ’軸に沿って同じ形状の第１仮想直角三角形が並んでいるし、同様に、第２反射鏡７２にあっては、Ｚ’軸に沿って同じ形状の第２仮想直角三角形が並んでいるとした。一方、実施例５において、第１反射鏡８１にあっては、Ｙ’軸に沿って異なる形状の第１仮想直角三角形が並んでいるし、同様に、第２反射鏡８２にあっては、Ｚ’軸に沿って異なる形状の第２仮想直角三角形が並んでいる。実施例５における光反射部材、第１反射鏡８１あるいは第２反射鏡８２の模式的な側面図を図２５の（Ａ）及び（Ｂ）に示す。
【０１２８】
実施例５の光ビーム伸長装置８０において、
第１反射鏡８１の光反射面は、第１Ａ斜面８１Ａと第１Ｂ斜面８１Ｂとが交互に連続して並置され、断面形状が鋸歯形状を有し、
第１Ａ斜面８１Ａの頂辺及び底辺は平行であり、Ｚ方向に延びており、
一対の第１Ａ斜面８１Ａ及び第１Ｂ斜面８１Ｂにおいて、第１Ａ斜面８１Ａの底部と第１Ｂ斜面８１Ｂの底部の成す角度は９０度であり、且つ、第１Ａ斜面８１Ａの長さは第１Ｂ斜面８１Ｂの長さよりも短く、
第１Ａ斜面８１Ａの高さは一定であり、
第１反射鏡８１の中央における第１Ａ斜面８１Ａの頂点と第１Ａ斜面８１Ａの頂点との間のピッチの値と、第１反射鏡８１の端部における第１Ａ斜面８１Ａの頂点と第１Ａ斜面８１Ａの頂点との間のピッチの値とは異なり、
第２反射鏡８２の光反射面は、第２Ａ斜面８２Ａと第２Ｂ斜面８２Ｂとが交互に連続して並置され、断面形状が鋸歯形状を有し、
第２Ａ斜面８２Ａの頂辺及び底辺は平行であり、Ｙ方向に延びており、
一対の第２Ａ斜面８２Ａ及び第２Ｂ斜面８２Ｂにおいて、第２Ａ斜面８２Ａの底部と第２Ｂ斜面８２Ｂの底部の成す角度は９０度であり、且つ、第２Ａ斜面８２Ａの長さは第２Ｂ斜面８２Ｂの長さよりも短く、
第２Ａ斜面８２Ａの高さは一定であり、
第２反射鏡８２の中央における第２Ａ斜面８２Ａの頂点と第２Ａ斜面８２Ａの頂点との間のピッチの値と、第２反射鏡８２の端部における第２Ａ斜面８２Ａの頂点と第２Ａ斜面８２Ａの頂点との間のピッチの値とは異なる。
【０１２９】
尚、第１反射鏡８１から光反射部材を構成する場合、光反射部材における第１斜面及び第２斜面を、第１反射鏡８１における第１Ａ斜面８１Ａ及び第１Ｂ斜面８１Ｂと読み替えればよい。また、第２反射鏡８２から光反射部材を構成する場合、光反射部材における第１斜面及び第２斜面を、第２反射鏡８２における第２Ａ斜面８２Ａ及び第２Ｂ斜面８２Ｂと読み替えればよい。尚、光反射部材にあっては、第１斜面の頂辺及び底辺の延びる方向に直交する仮想平面に射影したとき、第１斜面に入射する光の軌跡と、第２斜面から出射される光の軌跡とは平行である。
【０１３０】
ここで、「第１反射鏡８１の中央における第１Ａ斜面８１Ａの頂点と第１Ａ斜面８１Ａの頂点との間のピッチの値と、第１反射鏡８１の端部における第１Ａ斜面８１Ａの頂点と第１Ａ斜面８１Ａの頂点との間のピッチの値とは異なる」とは、「第１反射鏡８１の中央における傾斜角ζと、第１反射鏡８１の端部における傾斜角ζとが異なる」ことと等価である。同様に、「第２反射鏡８２の中央における第２Ａ斜面８２Ａの頂点と第２Ａ斜面８２Ａの頂点との間のピッチの値と、第２反射鏡８２の端部における第２Ａ斜面８２Ａの頂点と第２Ａ斜面８２Ａの頂点との間のピッチの値とは異なる」とは、「第２反射鏡８２の中央における傾斜角ζと、第２反射鏡８２の端部における傾斜角ζとが異なる」ことと等価である。即ち、傾斜角ζに置き換えてみれば、本開示の第２の態様に係る光反射部材、本開示の第２の態様に係る光学装置、本開示の第２の態様に係る光ビーム伸長装置、並びに、本開示の第２の態様に係る画像表示装置は、本開示の第１の態様に係る光反射部材、本開示の第１の態様に係る光学装置、本開示の第１の態様に係る光ビーム伸長装置、並びに、本開示の第１の態様に係る画像表示装置と部分的に等価である。即ち、異なる傾斜角ζを有する斜面を備えた本開示の第１の態様に係る光学装置、本開示の第１の態様に係る光ビーム伸長装置、並びに、本開示の第１の態様に係る画像表示装置は、本開示の第２の態様に係る光反射部材、本開示の第２の態様に係る光学装置、本開示の第２の態様に係る光ビーム伸長装置、並びに、本開示の第２の態様に係る画像表示装置と等価である。
【０１３１】
実施例５において、図２５の（Ａ）に示すように、光反射部材の中央領域への光の入射角をη00-inとしたとき、光反射部材の中央領域は、第３仮想直角三角形（但し、傾斜角ζ00である直角不等辺三角形）が並んでおり、光の入射角がη01-in（＞η00-in）である光反射部材の領域（図２５の（Ａ）においては『第１の領域』と記す）には、第３仮想直角三角形（但し、傾斜角ζ01＞ζ00である直角不等辺三角形）が並んでおり、光の入射角がη02-in（＜η00-in）である光反射部材の領域（図２５の（Ａ）においては『第２の領域』と記す）には、第３仮想直角三角形（但し、傾斜角ζ02＜ζ00である直角不等辺三角形）が並んでいる。
【０１３２】
あるいは又、光反射部材の中央領域への光の入射角をη00-inとし、光反射部材の中央領域におけるピッチをＰ00としたとき、光の入射角がη01-in（＞η00-in）である光反射部材の領域（第１の領域）におけるピッチＰ01は、Ｐ01＞Ｐ00であり、光の入射角がη02-in（＜η00-in）である光反射部材の領域（第２の領域）におけるピッチＰ02は、Ｐ02＜Ｐ00である。
【０１３３】
あるいは又、図２５の（Ｂ）に示すように、光反射部材の中央領域（光の入射角η00-in）には、第３仮想直角三角形（但し、直角二等辺三角形）が並んでおり、光反射部材の中央領域の両側の領域（図２５の（Ｂ）においては『第３の領域』及び『第４の領域』と記す）には、入射角η01-in（＞η00-in）の光（但し、角度の正負の符号が異なる）が入射し、第３の領域及び第４の領域には、中央領域を基準として対称に、第３仮想直角三角形（但し、直角不等辺三角形）が並んでいる。尚、１つの第３仮想直角三角形において、長い方の隣辺が光反射部材の中央領域側に位置している。傾斜角ζの値は、第３仮想直角三角形毎に異なっていてもよいし、所望の数の第３仮想直角三角形にあっては同じ値とする構成（即ち、光反射部材を複数の領域に分割し、各領域に含まれる第３仮想直角三角形における傾斜角ζの値を同じとし、異なる領域に含まれる第３仮想直角三角形における傾斜角ζの値は異なる構成）とすることもできる。後者の場合、光反射部材における複数の領域のそれぞれの中心部に入射する光の入射角をηとすればよい。また、光反射部材における複数の領域の境界におけるθ’の値は、９０度以外の値となる。
【０１３４】
あるいは又、例えば、光反射部材の中央領域（光の入射角をη00-in）におけるピッチをＰ00としたとき、光の入射角がη01-in（＞η00-in）である光反射部材の中央領域の両側の領域（第３の領域及び第４の領域）には、中央領域を基準として対称に、ピッチＰ01（＞Ｐ00）にて、第３仮想直角三角形（但し、直角不等辺三角形）が並んでいる。ピッチＰの値は、第３仮想直角三角形毎に異なっていてもよいし、所望の数の第３仮想直角三角形にあっては同じ値とする構成（即ち、光反射部材を複数の領域に分割し、各領域に含まれる第３仮想直角三角形における傾斜角ζの値を同じとし、異なる領域に含まれる第３仮想直角三角形における傾斜角ζの値は異なる構成）とすることもできる。
【０１３５】
尚、第１反射鏡あるいは第２反射鏡においても、上記の光反射部材と同様の構成、構造を採用することができる。即ち、第１反射鏡８１にあっては、Ｙ’軸に沿って異なる形状の第１仮想直角三角形が並んでいる。また、第２反射鏡８２にあっては、Ｚ’軸に沿って異なる形状の第２仮想直角三角形が並んでいる。
【実施例６】
【０１３６】
実施例６は、本開示の第３の態様及び第４の態様に係る画像表示装置に関する。実施例６における画像表示装置は、光ビーム伸長装置の構成、構造を除き、実施例３あるいは実施例４において説明した画像表示装置と同様の画像表示装置から構成されている。
【０１３７】
実施例６における画像生成装置と光ビーム伸長装置と導光手段の配置状態をＹ方向から眺めた模式図、及び、Ｚ方向から眺めた模式図を、それぞれ、図２６の（Ａ）及び（Ｂ）に示す。尚、図２６の（Ｂ）においては、導光板３３１の図示を省略している。
【０１３８】
実施例６の画像表示装置は、実施例１（本開示の第１の態様に係る画像表示装置、本開示の第１の態様に係る光ビーム伸長装置、本開示の第１の態様に係る光学装置、及び、本開示の第１の態様に係る光反射部材）、あるいは、実施例５（本開示の第２の態様に係る画像表示装置、本開示の第２の態様に係る光ビーム伸長装置、本開示の第２の態様に係る光学装置、及び、本開示の第２の態様に係る光反射部材）において説明したと同様に、画像生成装置、及び、画像生成装置からの光が入射され、導光され、観察者の瞳に向かって出射される導光手段を備えており、導光手段は、導光板、第１偏向手段及び第２偏向手段を備えており、更に、光ビーム伸長装置を備えている。
【０１３９】
ここで、実施例６にあっては、光ビーム伸長装置９０は、第１反射鏡９１及び第２反射鏡９２から成り、
第１反射鏡９１は、導光手段３３０を挟んで、画像生成装置１１０，２１０とは反対側に位置し（即ち、導光手段３３０の光入射側とは反対側に位置し）、
第２反射鏡７２は、導光手段３３０を基準として、画像生成装置１１０，２１０の側に位置し（即ち、導光手段３３０の光入射側に位置し）、
画像生成装置１１０，２１０から出射された光の一部は、導光板３３１及び第１偏向手段３４０を通過し、第１反射鏡９１で反射され、導光板３３１及び第１偏向手段３４０を通過し、第２反射鏡９２で反射され、その一部は、導光板３３１及び第１偏向手段３４０を通過することを、所定の回数繰り返す。
【０１４０】
尚、第１反射鏡９１及び第２反射鏡９２の具体的な構成、構造は、実質的に、実施例１あるいはその変形例において説明した第２反射鏡７２の構成、構造と同じである。そして、光ビーム伸長装置の全体から出射される光のＺ方向に沿ったビーム径は、光ビーム伸長装置に入射する光のＺ方向に沿ったビーム径よりも大きい。
【０１４１】
コリメート光学系１１２あるいはリレー光学系２６４において、水平画角が負の最大値をとる光線を想定する。そして、係る光線が光ビーム伸長装置９０に入射したときの、光ビーム伸長装置９０における挙動を、図２６の（Ａ）及び（Ｂ）に模式的に示す。
【０１４２】
図２６の（Ａ）及び（Ｂ）に示すように、第１反射鏡９１と第２反射鏡９２との間で光の反射が繰り返されるが、光線の第１反射鏡９１との衝突点、第２反射鏡９２との衝突点は、原理的には、光はＹ方向には移動せず、Ｘ方向及びＺ方向に移動するだけである。例えば、図２６の（Ａ）及び（Ｂ）に示す例においては、水平画角が負の最大値をとる光線（「ａ」で示す）が、点「ｂ」において第１反射鏡９１と衝突し、反射され、点「ｃ」において第２反射鏡９２と衝突し、反射され、点「ｄ」において第１反射鏡９１と衝突し、反射され、点「ｅ」において第２反射鏡９２と衝突し、反射され、導光手段３３０のＹ方向端部「ｆ」に入射し、回折反射されるとする。この場合、導光手段３３０のＹ方向端部「ｆ」に入射する光線は、コリメート光学系１１２あるいはリレー光学系２６４からの出射位置「ａ」を基準としたとき、ΔＹだけ、−Ｙ方向にずれる。同様に、水平画角が正の最大値をとる光線を想定したときには、コリメート光学系１１２あるいはリレー光学系２６４からの出射位置を基準としたとき、ΔＹだけ、＋Ｙ方向にずれる。しかしながら、ΔＹの値は、無視出来る程度に小さい。
【０１４３】
ここで、前述したとおり、コリメート光学系１１２あるいはリレー光学系２６４を出射して導光板３３１に入射した平行光束群を回折反射する第１偏向手段３４０の位置がＹ方向の開口絞り位置となる。具体的には、図２６に示した例にあっては、コリメート光学系１１２あるいはリレー光学系２６４のＹ方向の径を、第１偏向手段３４０のＹ方向の長さに２×ΔＹを加えた値としなければならない。しかしながら、ΔＹの値は、無視出来る程度に小さな値である。それ故、第１反射鏡９１及び第２反射鏡９２を、所謂リバーサルミラーとすることで、コリメート光学系１１２あるいはリレー光学系２６４のＹ方向の径を大きく設定する必要が無く、あるいは又、大きく設定するにしても、左程、Ｙ方向の径を大きくする必要がない。
【実施例７】
【０１４４】
実施例７は、本開示の画像表示装置、具体的には、実施例１〜実施例６にて説明した画像表示装置１００，２００，３００，４００を組み込んだ頭部装着型ディスプレイに関する。実施例７の頭部装着型ディスプレイを正面から眺めた模式図を図２７に示し、実施例７の頭部装着型ディスプレイ（但し、フレームを除去したと想定したときの状態）を正面から眺めた模式図を図２８に示す。また、実施例７の頭部装着型ディスプレイを上方から眺めた模式図を図２９に示し、実施例７の頭部装着型ディスプレイを観察者４０の頭部に装着した状態を上方から眺めた図を図３０に示す。尚、図３０においては、便宜上、画像表示装置のみを示し、フレームの図示は省略している。また、以下の説明においては、画像表示装置を画像表示装置１００で代表して説明しているが、画像表示装置２００，３００，４００を適用することができることは云うまでもない。
【０１４５】
実施例７の頭部装着型ディスプレイは、
（Ａ）観察者４０の頭部に装着される眼鏡型のフレーム１０、及び、
（Ｂ）２つの画像表示装置１００、
を備えている。尚、実施例７あるいは後述する実施例８における頭部装着型ディスプレイにあっては、画像表示装置１００を２つ備えた両眼型とした。
【０１４６】
そして、実施例７の頭部装着型ディスプレイは、２つの画像表示装置１００を結合する結合部材２０を更に有している。結合部材２０は、観察者４０の２つの瞳４１の間に位置するフレーム１０の中央部分１０Ｃの観察者に面する側に（即ち、観察者４０とフレーム１０との間に）、例えば、ビス（図示せず）を用いて取り付けられている。更には、結合部材２０の射影像は、フレーム１０の射影像内に含まれる。即ち、観察者４０の正面から頭部装着型ディスプレイを眺めたとき、結合部材２０はフレーム１０によって隠されており、結合部材２０は視認されない。また、結合部材２０によって２つの画像表示装置１００が結合されているが、具体的には、画像生成装置１１０Ａ，１１０Ｂが筐体１１３に格納され、結合部材２０の各端部に、筐体１１３が取付け状態調整可能に取り付けられている。そして、各画像生成装置１１０Ａ，１１０Ｂは、観察者４０の瞳４１よりも外側に位置している。具体的には、一方の画像生成装置１１０Ａの取付部中心１１０ＡCとフレーム１０の一端部（一方の智）１０Ａとの間の距離をα、結合部材２０の中心２０Cからフレームの一端部（一方の智）１０Ａまでの距離をβ、他方の画像生成装置１１０Ｂの取付部中心１１０ＢCとフレームの一端部（一方の智）１０Ａとの間の距離をγ、フレームの長さをＬとしたとき、
α＝０．１×Ｌ
β＝０．５×Ｌ
γ＝０．９×Ｌ
である。
【０１４７】
結合部材２０の各端部への画像生成装置（具体的には、画像生成装置１１０Ａ，１１０Ｂ）の取付けは、具体的には、例えば、結合部材の各端部の３箇所に貫通孔（図示せず）を設け、貫通孔に対応したタップ付きの孔部（螺合部。図示せず）を画像生成装置１１０Ａ，１１０Ｂに設け、各貫通孔にビス（図示せず）を通し、画像生成装置１１０Ａ，１１０Ｂに設けられた孔部に螺合させる。ビスと孔部との間にはバネを挿入しておく。こうして、ビスの締め付け状態によって、画像生成装置の取付け状態（結合部材に対する画像生成装置の傾き）を調整することができる。取付け後、蓋（図示せず）によってビスを隠す。尚、図２８及び図３２において、結合部材２０，３０を明示するために、結合部材２０，３０に斜線を付した。
【０１４８】
フレーム１０は、観察者４０の正面に配置されるフロント部１０Ｂと、フロント部１０Ｂの両端に蝶番１１を介して回動自在に取り付けられた２つのテンプル部１２と、各テンプル部１２の先端部に取り付けられたモダン部（先セル、耳あて、イヤーパッドとも呼ばれる）１３から成り、結合部材２０は、観察者４０の２つの瞳４１の間に位置するフロント部１０Ｂの中央部分１０Ｃ（通常の眼鏡におけるブリッジの部分に相当する）に取り付けられている。そして、結合部材２０の観察者４０に面する側にノーズパッド１４が取り付けられている。尚、図２９及び図３３においては、ノーズパッド１４の図示を省略している。フレーム１０及び結合部材２０は金属又はプラスチックから作製されており、結合部材２０の形状は湾曲した棒状である。
【０１４９】
更には、一方の画像生成装置１１０Ａから延びる配線（信号線や電源線等）１５が、テンプル部１２、及び、モダン部１３の内部を介して、モダン部１３の先端部から外部に延びており、図示しない外部回路に接続されている。更には、各画像生成装置１１０Ａ，１１０Ｂはヘッドホン部１６を備えており、各画像生成装置１１０Ａ，１１０Ｂから延びるヘッドホン部用配線１７が、テンプル部１２、及び、モダン部１３の内部を介して、モダン部１３の先端部からヘッドホン部１６へと延びている。ヘッドホン部用配線１７は、より具体的には、モダン部１３の先端部から、耳介（耳殻）の後ろ側を回り込むようにしてヘッドホン部１６へと延びている。このような構成にすることで、ヘッドホン部１６やヘッドホン部用配線１７が乱雑に配置されているといった印象を与えることがなく、すっきりとした頭部装着型ディスプレイとすることができる。
【０１５０】
また、フロント部１０Ｂの中央部分１０Ｃには、ＣＣＤあるいはＣＭＯＳセンサーから成る固体撮像素子とレンズ（これらは図示せず）とから構成された撮像装置１８が取り付けられている。具体的には、中央部分１０Ｃには貫通孔が設けられており、中央部分１０Ｃに設けられた貫通孔と対向する結合部材２０の部分には凹部が設けられており、この凹部内に撮像装置１８が配置されている。中央部分１０Ｃに設けられた貫通孔から入射した光が、レンズによって固体撮像素子に集光される。固体撮像素子からの信号は、撮像装置１８から延びる配線（図示せず）を介して、画像生成装置１１０Ａ、更には、外部回路に送出される。尚、配線は、結合部材２０とフロント部１０Ｂとの間を通り、一方の画像生成装置１１０Ａに接続されている。このような構成にすることで、撮像装置１８が頭部装着型ディスプレイに組み込まれていることを、視認させ難くすることができる。
【０１５１】
このように、実施例７の頭部装着型ディスプレイ（ＨＭＤ）にあっては、結合部材２０が２つの画像表示装置１００を結合しており、この結合部材２０は、観察者４０の２つの瞳４１の間に位置するフレーム１０の中央部分１０Ｃに取り付けられている。即ち、各画像表示装置１００は、フレーム１０に、直接、取り付けられた構造とはなっていない。従って、観察者４０がフレーム１０を頭部に装着したとき、テンプル部１２が外側に向かって広がった状態となり、その結果、フレーム１０が変形したとしても、このようなフレーム１０の変形によって、画像生成装置１１０Ａ，１１０Ｂの変位（位置変化）が生じないか、生じたとしても、極僅かである。それ故、左右の画像の輻輳角が変化してしまうことを確実に防止することができる。しかも、フレーム１０のフロント部１０Ｂの剛性を高める必要がないので、フレーム１０の重量増加、デザイン性の低下、コストの増加を招くことがない。また、画像表示装置１００は、眼鏡型のフレーム１０に、直接、取り付けられていないので、観察者の嗜好によってフレーム１０のデザインや色等を自由に選択することが可能であるし、フレーム１０のデザインが受ける制約も少なく、デザイン上の自由度が高い。加えて、観察者の正面から頭部装着型ディスプレイを眺めたとき、結合部材２０はフレーム１０に隠れている。従って、高いデザイン性、意匠性を頭部装着型ディスプレイに与えることができる。
【実施例８】
【０１５２】
実施例８は、実施例７の変形である。実施例８の頭部装着型ディスプレイを正面から眺めた模式図を図３１に示し、実施例８の頭部装着型ディスプレイ（但し、フレームを除去したと想定したときの状態）を正面から眺めた模式図を図３２に示す。また、実施例８の頭部装着型ディスプレイを上方から眺めた模式図を図３３に示す。
【０１５３】
実施例８の頭部装着型ディスプレイにあっては、棒状の結合部材３０が、実施例７と異なり、２つの画像生成装置１１０Ａ，１１０Ｂを結合する代わりに、２つの導光手段３３０を結合している。尚、２つの導光手段３３０を一体的に作製し、係る一体的に作製された導光手段３３０に結合部材３０が取り付けられている形態とすることもできる。
【０１５４】
ここで、実施例８の頭部装着型ディスプレイにあっても、結合部材３０は、観察者４０の２つの瞳４１の間に位置するフレーム１０の中央部分１０Ｃに、例えば、ビスを用いて取り付けられており、各画像生成装置１１０は、観察者４０の瞳４１よりも外側に位置している。尚、各画像生成装置１１０は、導光手段３３０の端部に取り付けられている。結合部材３０の中心３０Cからフレーム１０の一端部までの距離をβ、フレーム１０の長さをＬとしたとき、β＝０．５×Ｌを満足している。尚、実施例８においても、α’の値、γ’の値は、実施例７のαの値、γの値と同じ値である。
【０１５５】
実施例８にあっては、フレーム１０、各画像表示装置は、実施例７において説明したフレーム１０、画像表示装置と同じ構成、構造を有する。それ故、これらの詳細な説明は省略する。また、実施例８の頭部装着型ディスプレイも、以上の相違点を除き、実質的に、実施例７の頭部装着型ディスプレイと同じ構成、構造を有するので、詳細な説明は省略する。
【０１５６】
以上、本開示を好ましい実施例に基づき説明したが、本開示はこれらの実施例に限定するものではない。実施例において説明した画像表示装置、光学装置の構成、構造は例示であり、適宜変更することができる。実施例においては、第１Ａ斜面、第２Ａ斜面、第１斜面の高さを一定としたが、場合によっては、第１Ａ斜面、第２Ａ斜面、第１斜面の高さを変化させてもよい。また、例えば、導光板に表面レリーフ型ホログラム（米国特許第２００４００６２５０５Ａ１参照）を配置してもよい。また、実施例３あるいは実施例４の導光手段にあっては、導光板３３１の第１面３３２に透過型ホログラムから成る第１偏向手段を配設し、第２面３３３に反射型ホログラムから成る第２偏向手段を配設するといった構成とすることもできる。このような構成にあっては、第１偏向手段に入射した光は、回折され、導光板内で全反射条件を満たし、第２偏向手段まで伝播される。そして、第２偏向手段において回折反射され、導光板から出射される。また、実施例３あるいは実施例４の導光手段にあっては、回折格子素子を透過型回折格子素子から構成することもできるし、あるいは又、第１偏向手段及び第２偏向手段の内のいずれか一方を反射型回折格子素子から構成し、他方を透過型回折格子素子から構成する形態とすることもできる。あるいは又、回折格子素子を、反射型ブレーズド回折格子素子や表面レリーフ型ホログラムとすることもできる。実施例にあっては、専ら、画像表示装置を２つ備えた両眼型としたが、画像表示装置を１つ備えた片眼型としてもよい。
【０１５７】
実施例１、実施例３での使用に適した画像形成装置の変形例として、例えば、図３４に概念図を示すような、半導体発光素子から成る発光素子５０１が２次元マトリクス状に配列された発光パネルから成り、発光素子５０１のそれぞれの発光／非発光状態を制御することで、発光素子５０１の発光状態を直接的に視認させることで画像を表示する、アクティブマトリックスタイプの画像形成装置とすることもできる。この画像形成装置から出射された光は、コリメート光学系１１２、光ビーム伸長装置７０を介して導光板１３１，３３１に入射される。
【０１５８】
あるいは又、図３５に概念図を示すように、
（α）赤色を発光する赤色発光素子５０１Ｒが２次元マトリクス状に配列された赤色発光パネル５１１Ｒ、
（β）緑色を発光する緑色発光素子５０１Ｇが２次元マトリクス状に配列された緑色発光パネル５１１Ｇ、及び、
（γ）青色を発光する青色発光素子５０１Ｂが２次元マトリクス状に配列された青色発光パネル５１１Ｂ、並びに、
（δ）赤色発光パネル５１１Ｒ、緑色発光パネル５１１Ｇ及び青色発光パネル５１１Ｂから出射された光を１本の光路に纏めるための手段（例えば、ダイクロイック・プリズム５０３）、
を備えており、
赤色発光素子５０１Ｒ、緑色発光素子５０１Ｇ及び青色発光素子５０１Ｂのそれぞれの発光／非発光状態を制御するカラー表示の画像形成装置とすることもできる。この画像形成装置から出射された光も、コリメート光学系１１２、光ビーム伸長装置７０を介して導光板１３１，３３１に入射される。尚、参照番号５１２は、発光素子から出射された光を集光するためのマイクロレンズである。
【０１５９】
あるいは又、発光素子５０１Ｒ，５０１Ｇ，５０１Ｂが２次元マトリクス状に配列された発光パネル５１１Ｒ，５１１Ｇ，５１１Ｂ等から成る画像形成装置の概念図を図３６に示すが、発光パネル５１１Ｒ，５１１Ｇ，５１１Ｂから出射された光は、光通過制御装置５０４Ｒ，５０４Ｇ，５０４Ｂによって通過／非通過が制御され、ダイクロイック・プリズム５０３に入射し、これらの光の光路は１本の光路に纏められ、コリメート光学系１１２、光ビーム伸長装置７０を介して導光板１３１，３３１に入射される。
【０１６０】
あるいは又、発光素子５０１Ｒ，５０１Ｇ，５０１Ｂが２次元マトリクス状に配列された発光パネル５１１Ｒ，５１１Ｇ，５１１Ｂ等から成る画像形成装置の概念図を図３７に示すが、発光パネル５１１Ｒ，５１１Ｇ，５１１Ｂから出射された光は、ダイクロイック・プリズム５０３に入射し、これらの光の光路は１本の光路に纏められ、ダイクロイック・プリズム５０３から出射したこれらの光は光通過制御装置５０４によって通過／非通過が制御され、コリメート光学系１１２、光ビーム伸長装置７０を介して導光板１３１，３３１に入射される。
【０１６１】
あるいは又、図３８に示すように、赤色を発光する発光素子５０１Ｒ、及び、赤色を発光する発光素子５０１Ｒから出射された出射光の通過／非通過を制御するための一種のライト・バルブである光通過制御装置（例えば、液晶表示装置５０４Ｒ）、緑色を発光する発光素子５０１Ｇ、及び、緑色を発光する発光素子５０１Ｇから出射された出射光の通過／非通過を制御するための一種のライト・バルブである光通過制御装置（例えば、液晶表示装置５０４Ｇ）、青色を発光する発光素子５０１Ｂ、及び、青色を発光する発光素子５０１Ｂから出射された出射光の通過／非通過を制御するための一種のライト・バルブである光通過制御装置（例えば、液晶表示装置５０４Ｂ）、並びに、これらのＧａＮ系半導体から成る発光素子５０１Ｒ，５０１Ｇ，５０１Ｂから出射された光を案内する光案内部材５０２、及び、１本の光路に纏めるための手段（例えば、ダイクロイック・プリズム５０３）を備えた画像形成装置とすることもできる。
【０１６２】
あるいは又、実施例７の頭部装着型ディスプレイの変形例の概念図を図３９に示すように、光学装置は、画像生成装置１１０から出射された光が入射され、観察者の瞳４１に向かって出射される半透過ミラー６２０から構成されている形態とすることもできる。尚、画像生成装置１１０から出射された光は、ガラス板やプラスチック板等の透明な部材６２１の内部を伝播して半透過ミラー６２０に入射する構造としている。但し、これに限定するものではなく、空気中を伝播して半透過ミラー６２０に入射する構造としてもよい。画像生成装置は、実施例１あるいは実施例２において説明した画像生成装置１１０，２１０とすることができる。
【０１６３】
尚、本開示は、以下のような構成を取ることもできる。
［１］《画像表示装置：第１の態様》
（Ａ）画像生成装置、及び、
（Ｂ）画像生成装置からの光が入射され、導光され、観察者の瞳に向かって出射される導光手段、
を備え、
導光手段は、
（Ｂ−１）入射された光が内部を全反射により伝播した後、出射される導光板、
（Ｂ−２）導光板に入射された光が導光板の内部で全反射されるように、導光板に入射された光を偏向させる、導光板に配設された第１偏向手段、及び、
（Ｂ−３）導光板の内部を全反射により伝播した光を導光板から出射させるために、導光板の内部を全反射により伝播した光を複数回に亙り偏向させる、導光板に配設された第２偏向手段、
を備えており、更に、
（Ｃ）導光板へ入射される光の入射方向をＸ方向、導光板内における光の伝播方向をＹ方向としたとき、画像生成装置から入射された光ビームをＺ方向に沿って伸長し、導光手段へ出射する光ビーム伸長装置、
を備えた画像表示装置であって、
光ビーム伸長装置は、画像生成装置からの光が入射される第１反射鏡、及び、第１反射鏡からの光が入射され、導光手段へ光を出射する第２反射鏡から成り、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡への光の入射角をη1（度）、第１Ａ斜面の傾斜角をζ1（度）とし、第１Ａ斜面の頂辺を基準として、第１Ａ斜面側へ向かう光の入射角の方向を正の方向としたとき、
２ζ1−η1＝９０±１０
を満足し、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡への光の入射角をη2（度）、第２Ａ斜面の傾斜角をζ2（度）とし、第２Ａ斜面の頂辺を基準として、第２Ａ斜面側へ向かう光の入射角の方向を正の方向としたとき、
２ζ2−η2＝９０±１０
を満足する画像表示装置。
［２］画像生成装置と第１反射鏡との間には、少なくとも１枚の平面反射部材が備えられており、
第１反射鏡と第２反射鏡との間には、少なくとも１枚の平面反射部材が備えられており、
画像生成装置と第１反射鏡との間に備えられた１枚の平面反射部材は、第１反射鏡と第２反射鏡との間に備えられた１枚の平面反射部材を兼ねている［１］に記載の画像表示装置。
［３］《画像表示装置：第２の態様》
（Ａ）画像生成装置、及び、
（Ｂ）画像生成装置からの光が入射され、導光され、観察者の瞳に向かって出射される導光手段、
を備え、
導光手段は、
（Ｂ−１）入射された光が内部を全反射により伝播した後、出射される導光板、
（Ｂ−２）導光板に入射された光が導光板の内部で全反射されるように、導光板に入射された光を偏向させる、導光板に配設された第１偏向手段、及び、
（Ｂ−３）導光板の内部を全反射により伝播した光を導光板から出射させるために、導光板の内部を全反射により伝播した光を複数回に亙り偏向させる、導光板に配設された第２偏向手段、
を備えており、更に、
（Ｃ）導光板へ入射される光の入射方向をＸ方向、導光板内における光の伝播方向をＹ方向とした、
を備えた画像表示装置であって、
光ビーム伸長装置は、画像生成装置からの光が入射される第１反射鏡、及び、第１反射鏡からの光が入射され、導光手段へ光を出射する第２反射鏡から成り、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡の中央における第１Ａ斜面の頂点と第１Ａ斜面の頂点との間のピッチの値と、第１反射鏡の端部における第１Ａ斜面の頂点と第１Ａ斜面の頂点との間のピッチの値とは異なり、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡の中央における第２Ａ斜面の頂点と第２Ａ斜面の頂点との間のピッチの値と、第２反射鏡の端部における第２Ａ斜面の頂点と第２Ａ斜面の頂点との間のピッチの値とは異なる画像表示装置。
［４］Ｚ方向と直交する仮想平面である第１Ａ仮想平面に射影したとき、画像生成装置から第１反射鏡に入射する光の軌跡と、第１反射鏡から出射される光の軌跡とは平行であり、
第１反射鏡の法線と直交する仮想平面である第１Ｂ仮想平面に射影したとき、画像生成装置から第１反射鏡に入射する光の軌跡と、第１反射鏡から出射される光の軌跡とは、第１Ａ仮想平面に対して対称であり、
Ｙ方向と直交する仮想平面である第２Ａ仮想平面に射影したとき、第１反射鏡から第２反射鏡に入射する光の軌跡と、第２反射鏡から出射される光の軌跡とは平行であり、
第２反射鏡の法線と直交する仮想平面である第２Ｂ仮想平面に射影したとき、第１反射鏡から第２反射鏡に入射する光の軌跡と、第２反射鏡から出射される光の軌跡とは、第２Ａ仮想平面に対して対称である［１］乃至［３］のいずれか１項に記載の画像表示装置。
［５］画像生成装置の中心から出射され、第１反射鏡に入射する光の光路長と、画像生成装置の中心から出射された光であって、第１反射鏡から出射され、第２反射鏡に入射し、出射され、導光手段に入射する光の光路長とは、等しい［４］に記載の画像表示装置。
［６］画像生成装置から出射される光ビームのＹ方向に沿った大きさは、導光手段に入射する光ビームのＹ方向に沿った大きさと等しい［５］に記載の画像表示装置。
［７］導光手段に入射する光ビームのＺ方向に沿った大きさは、画像生成装置から出射される光ビームのＺ方向に沿った大きさよりも大きい［４］乃至［６］のいずれか１項に記載の画像表示装置。
［８］導光手段から出射される光ビームのＺ方向に沿った大きさは、画像生成装置から出射される光ビームのＺ方向に沿った大きさと等しい［７］に記載の画像表示装置。
［９］画像生成装置は、
（Ａ−１）２次元マトリクス状に配列された複数の画素を有する画像形成装置、及び、
（Ａ−２）画像形成装置の各画素から出射された光を平行光とするコリメート光学系、
を備えており、
コリメート光学系からの光が第１反射鏡に入射される［１］乃至［８］のいずれか１項に記載の画像表示装置。
［１０］画像生成装置は、
（Ａ−１）光源、
（Ａ−２）光源から出射された光を平行光とするコリメート光学系、
（Ａ−３）コリメート光学系から出射された平行光を走査する走査手段、及び、
（Ａ−４）走査手段によって走査された平行光をリレーするリレー光学系、
を備えており、
リレー光学系からの光が第１反射鏡に入射される［１］乃至［８］のいずれか１項に記載の画像表示装置。
［１１］《画像表示装置：第３の態様》
（Ａ）画像生成装置、及び、
（Ｂ）画像生成装置からの光が入射され、導光され、観察者の瞳に向かって出射される導光手段、
を備え、
導光手段は、
（Ｂ−１）入射された光が内部を全反射により伝播した後、出射される導光板、
（Ｂ−２）導光板に入射された光が導光板の内部で全反射されるように、導光板に入射された光を偏向させる、導光板に配設された第１偏向手段、及び、
（Ｂ−３）導光板の内部を全反射により伝播した光を導光板から出射させるために、導光板の内部を全反射により伝播した光を複数回に亙り偏向させる、導光板に配設された第２偏向手段、
を備えており、更に、
（Ｃ）導光板へ入射される光の入射方向をＸ方向、導光板内における光の伝播方向をＹ方向としたとき、画像生成装置から入射された光ビームをＺ方向に沿って伸長し、導光手段へ出射する光ビーム伸長装置、
を備えた画像表示装置であって、
光ビーム伸長装置は、第１反射鏡及び第２反射鏡から成り、
第１反射鏡は、導光手段を挟んで、画像生成装置とは反対側に位置し、
第２反射鏡は、導光手段を基準として、画像生成装置側に位置し、
画像生成装置から出射された光の一部は、導光板及び第１偏向手段を通過し、第１反射鏡で反射され、導光板及び第１偏向手段を通過し、第２反射鏡で反射され、その一部は、導光板及び第１偏向手段を通過することを、所定の回数繰り返し、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｙ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡への光の入射角をη1（度）、第１Ａ斜面の傾斜角をζ1（度）とし、第１Ａ斜面の頂辺を基準として、第１Ａ斜面側へ向かう光の入射角の方向を正の方向としたとき、
２ζ1−η1＝９０±１０
を満足し、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡への光の入射角をη2（度）、第２Ａ斜面の傾斜角をζ2（度）とし、第２Ａ斜面の頂辺を基準として、第２Ａ斜面側へ向かう光の入射角の方向を正の方向としたとき、
２ζ2−η2＝９０±１０
を満足する画像表示装置。
［１２］《画像表示装置：第４の態様》
（Ａ）画像生成装置、及び、
（Ｂ）画像生成装置からの光が入射され、導光され、観察者の瞳に向かって出射される導光手段、
を備え、
導光手段は、
（Ｂ−１）入射された光が内部を全反射により伝播した後、出射される導光板、
（Ｂ−２）導光板に入射された光が導光板の内部で全反射されるように、導光板に入射された光を偏向させる、導光板に配設された第１偏向手段、及び、
（Ｂ−３）導光板の内部を全反射により伝播した光を導光板から出射させるために、導光板の内部を全反射により伝播した光を複数回に亙り偏向させる、導光板に配設された第２偏向手段、
を備えており、更に、
（Ｃ）導光板へ入射される光の入射方向をＸ方向、導光板内における光の伝播方向をＹ方向としたとき、画像生成装置から入射された光ビームをＺ方向に沿って伸長し、導光手段へ出射する光ビーム伸長装置、
を備えた画像表示装置であって、
光ビーム伸長装置は、第１反射鏡及び第２反射鏡から成り、
第１反射鏡は、導光手段を挟んで、画像生成装置とは反対側に位置し、
第２反射鏡は、導光手段を基準として、画像生成装置側に位置し、
画像生成装置から出射された光の一部は、導光板及び第１偏向手段を通過し、第１反射鏡で反射され、導光板及び第１偏向手段を通過し、第２反射鏡で反射され、その一部は、導光板及び第１偏向手段を通過することを、所定の回数繰り返し、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｙ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡の中央における第１Ａ斜面の頂点と第１Ａ斜面の頂点との間のピッチの値と、第１反射鏡の端部における第１Ａ斜面の頂点と第１Ａ斜面の頂点との間のピッチの値とは異なり、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡の中央における第２Ａ斜面の頂点と第２Ａ斜面の頂点との間のピッチの値と、第２反射鏡の端部における第２Ａ斜面の頂点と第２Ａ斜面の頂点との間のピッチの値とは異なる画像表示装置。
［１３］《光学装置：第１の態様》
光源から入射された光が内部を全反射により伝播した後、出射される導光板、
導光板に入射された光が導光板の内部で全反射されるように、導光板に入射された光を偏向させる、導光板に配設された第１偏向手段、及び、
導光板の内部を全反射により伝播した光を導光板から出射させるために、導光板の内部を全反射により伝播した光を複数回に亙り偏向させる、導光板に配設された第２偏向手段、
を備えた導光手段、並びに、
導光板へ入射される光の入射方向をＸ方向、導光板内における光の伝播方向をＹ方向としたとき、光源から入射された光ビームをＺ方向に沿って伸長し、導光手段へ出射する光ビーム伸長装置、
を備えた光学装置であって、
光ビーム伸長装置は、光源からの光が入射される第１反射鏡、及び、第１反射鏡からの光が入射され、導光手段へ光を出射する第２反射鏡から成り、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡への光の入射角をη1（度）、第１Ａ斜面の傾斜角をζ1（度）とし、第１Ａ斜面の頂辺を基準として、第１Ａ斜面側へ向かう光の入射角の方向を正の方向としたとき、
２ζ1−η1＝９０±１０
を満足し、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡への光の入射角をη2（度）、第２Ａ斜面の傾斜角をζ2（度）とし、第２Ａ斜面の頂辺を基準として、第２Ａ斜面側へ向かう光の入射角の方向を正の方向としたとき、
２ζ2−η2＝９０±１０
を満足する光学装置。
［１４］光源と第１反射鏡との間には、少なくとも１枚の平面反射部材が備えられており、
第１反射鏡と第２反射鏡との間には、少なくとも１枚の平面反射部材が備えられており、
光源と第１反射鏡との間に備えられた１枚の平面反射部材は、第１反射鏡と第２反射鏡との間に備えられた１枚の平面反射部材を兼ねている［１３］に記載の光学装置。
［１５］《光学装置：第２の態様》
光源から入射された光が内部を全反射により伝播した後、出射される導光板、
導光板に入射された光が導光板の内部で全反射されるように、導光板に入射された光を偏向させる、導光板に配設された第１偏向手段、及び、
導光板の内部を全反射により伝播した光を導光板から出射させるために、導光板の内部を全反射により伝播した光を複数回に亙り偏向させる、導光板に配設された第２偏向手段、
を備えた導光手段、並びに、
導光板へ入射される光の入射方向をＸ方向、導光板内における光の伝播方向をＹ方向としたとき、光源から入射された光ビームをＺ方向に沿って伸長し、導光手段へ出射する光ビーム伸長装置、
を備えた光学装置であって、
光ビーム伸長装置は、光源からの光が入射される第１反射鏡、及び、第１反射鏡からの光が入射され、導光手段へ光を出射する第２反射鏡から成り、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡の中央における第１Ａ斜面の頂点と第１Ａ斜面の頂点との間のピッチの値と、第１反射鏡の端部における第１Ａ斜面の頂点と第１Ａ斜面の頂点との間のピッチの値とは異なり、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡の中央における第２Ａ斜面の頂点と第２Ａ斜面の頂点との間のピッチの値と、第２反射鏡の端部における第２Ａ斜面の頂点と第２Ａ斜面の頂点との間のピッチの値とは異なる光学装置。
［１６］《光ビーム伸長装置：第１の態様》
光源と照射面との間に配置され、光源からの光が入射される第１反射鏡、及び、第１反射鏡からの光が入射され、照射面へ光を出射する第２反射鏡から成る光ビーム伸長装置であって、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡への光の入射角をη1（度）、第１Ａ斜面の傾斜角をζ1（度）とし、第１Ａ斜面の頂辺を基準として、第１Ａ斜面側へ向かう光の入射角の方向を正の方向としたとき、
２ζ1−η1＝９０±１０
を満足し、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡への光の入射角をη2（度）、第２Ａ斜面の傾斜角をζ2（度）とし、第２Ａ斜面の頂辺を基準として、第２Ａ斜面側へ向かう光の入射角の方向を正の方向としたとき、
２ζ2−η2＝９０±１０
を満足する光ビーム伸長装置。
［１７］《光ビーム伸長装置：第２の態様》
光源と照射面との間に配置され、光源からの光が入射される第１反射鏡、及び、第１反射鏡からの光が入射され、照射面へ光を出射する第２反射鏡から成る光ビーム伸長装置であって、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡の中央における第１Ａ斜面の頂点と第１Ａ斜面の頂点との間のピッチの値と、第１反射鏡の端部における第１Ａ斜面の頂点と第１Ａ斜面の頂点との間のピッチの値とは異なり、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡の中央における第２Ａ斜面の頂点と第２Ａ斜面の頂点との間のピッチの値と、第２反射鏡の端部における第２Ａ斜面の頂点と第２Ａ斜面の頂点との間のピッチの値とは異なる光ビーム伸長装置。
［１８］《光反射部材：第１の態様》
第１斜面と第２斜面とが交互に連続して並置され、断面形状が鋸歯形状を有する光反射面を備えた光反射部材であって、
第１斜面の頂辺及び底辺は平行であり、
一対の第１斜面及び第２斜面において、第１斜面の底部と第２斜面の底部の成す角度は９０度であり、且つ、第１斜面の長さは第２斜面の長さよりも短く、
第１斜面の高さは一定であり、
光反射部材への光の入射角をη（度）、第１斜面の傾斜角をζ（度）とし、第１斜面の頂辺を基準として、第１斜面側へ向かう光の入射角の方向を正の方向としたとき、
２ζ−η＝９０±１０
を満足し、
第１斜面の頂辺及び底辺の延びる方向に直交する仮想平面に射影したとき、第１斜面に入射する光の軌跡と、第２斜面から出射される光の軌跡とは平行である光反射部材。
［１９］《光反射部材：第２の態様》
第１斜面と第２斜面とが交互に連続して並置され、断面形状が鋸歯形状を有する光反射面を備えた光反射部材であって、
第１斜面の頂辺及び底辺は平行であり、
一対の第１斜面及び第２斜面において、第１斜面の底部と第２斜面の底部の成す角度は９０度であり、且つ、第１斜面の長さは第２斜面の長さよりも短く、
第１斜面の高さは一定であり、
光反射部材の中央における第１斜面の頂点と第１斜面の頂点との間のピッチの値と、光反射部材の端部における第１斜面の頂点と第１斜面の頂点との間のピッチの値とは異なり、
第１斜面の頂辺及び底辺の延びる方向に直交する仮想平面に射影したとき、第１斜面に入射する光の軌跡と、第２斜面から出射される光の軌跡とは平行である光反射部材。
【符号の説明】
【０１６４】
１０・・・フレーム、１０Ａ・・・フレームの一端部、１０Ｂ・・・フロント部、１０Ｃ・・・フレームの中央部分、１１・・・蝶番、１２・・・テンプル部、１３・・・モダン部、１４・・・ノーズパッド、１５・・・配線（信号線や電源線等）、１６・・・ヘッドホン部、１７・・・ヘッドホン部用配線、１８・・・撮像装置、２０，３０・・・結合部材、４０・・・観察者、４１・・・瞳、１００，２００，３００，４００・・・画像表示装置、１１０，１１０Ａ，１１０Ｂ，２１０・・・画像生成装置、１１１・・・画像形成装置、１１２・・・コリメート光学系、１１３・・・筐体、１３０，３３０・・・導光手段、１３１，３３１・・・導光板、１３２，３３２・・・導光板の第１面、１３３，３３３・・・導光板の第２面、１３４，１３５・・・導光板の一部分、１４０・・・第１偏向手段、１５０・・・第２偏向手段、３４０・・・第１偏向手段（第１回折格子部材）、３５０・・・第２偏向手段（第２回折格子部材）、１６０・・・反射型空間光変調装置、１６１・・・液晶表示装置（ＬＣＤ）、１６２・・・偏光ビームスプリッター、１６３・・・光源、２６１・・・光源、２６２・・・コリメート光学系、２６３・・・走査手段、２６４・・・リレー光学系、２６５・・・クロスプリズム、２６６・・・全反射ミラー、５０１，５０１Ｒ，５０１Ｇ，５０１Ｂ・・・発光素子、５０２・・・光案内部材、５０３・・・ダイクロイック・プリズム、５０４，５０４Ｒ，５０４Ｇ，５０４Ｂ・・・光通過制御装置、５１１Ｒ，５１１Ｇ，５１１Ｂ・・・発光パネル、５１２・・・マイクロレンズ、６２０・・・半透過ミラー、６２１・・・透明な部材、７０，８０，９０・・・光ビーム伸長装置、７１，８１，９１・・・第１反射鏡、７２，８２，９２・・・第２反射鏡、７１Ａ，８１Ａ，・・・第１Ａ斜面、７１Ｂ，８１Ｂ・・・第１Ｂ斜面、７２Ａ，８２Ａ・・・第２Ａ斜面、７２Ｂ，８２Ｂ・・・第２Ｂ斜面、７１Ｃ，７２Ｃ・・・頂部、７１Ｃ’，７２Ｃ’・・・頂点（頂辺）、７１Ｄ，７２Ｄ・・・底辺、７１Ｅ，７２Ｅ・・・光反射層、７１Ｆ，７２Ｆ・・・仮想三角形、７３，７４・・・ハーフミラー、７５，７６・・・平面反射部材
【図１】
0005879973.tif 000002
【図２】
0005879973.tif 000003
【図３】
0005879973.tif 000004
【図４】
0005879973.tif 000005
【図５】
0005879973.tif 000006
【図６】
0005879973.tif 000007
【図７】
0005879973.tif 000008
【図８】
0005879973.tif 000009
【図１４】
0005879973.tif 000010
【図２１】
0005879973.tif 000011
【図２２】
0005879973.tif 000012
【図２３】
0005879973.tif 000013
【図２４】
0005879973.tif 000014
【図２５】
0005879973.tif 000015
【図２６】
0005879973.tif 000016
【図２７】
0005879973.tif 000017
【図２８】
0005879973.tif 000018
【図２９】
0005879973.tif 000019
【図３０】
0005879973.tif 000020
【図３１】
0005879973.tif 000021
【図３２】
0005879973.tif 000022
【図３３】
0005879973.tif 000023
【図３４】
0005879973.tif 000024
【図３５】
0005879973.tif 000025
【図３６】
0005879973.tif 000026
【図３７】
0005879973.tif 000027
【図３８】
0005879973.tif 000028
【図３９】
0005879973.tif 000029
【図４０】
0005879973.tif 000030
【図４１】
0005879973.tif 000031
【図４２】
0005879973.tif 000032
【図９】
0005879973.tif 000033
【図１０】
0005879973.tif 000034
【図１１】
0005879973.tif 000035
【図１２】
0005879973.tif 000036
【図１３】
0005879973.tif 000037
【図１５】
0005879973.tif 000038
【図１６】
0005879973.tif 000039
【図１７】
0005879973.tif 000040
【図１８】
0005879973.tif 000041
【図１９】
0005879973.tif 000042
【図２０】
0005879973.tif 000043